(57)【要約】【課題】宇宙はどのように形成され。現代どのような形であるか。マイナスの宇宙の電磁気がどのように背景放射に成ったか。【解決手段】10-16m時代は“ブラックホールの素子”で、ブラックホールに成る素子がたくさん存在する場です。ブラックホールの質量を3段階に分けて考え、ジェットが届く距離を検討する。2.631×1013太陽質量のブラックホールから噴出するジェットが届く軌道半径は、2.036×105光年で、この軌道半径に1011太陽質量等の大きいブラックホールがたくさんでき、1011太陽質量のブラックホールのジェットがが届く軌道半径は、3.178×103光年で、この軌道に107太陽質量等の小さいブラックホールがたくさんできる。これらの物が中央の軌道の拡大とともに拡大する。背景放射はインフレーションと空間の拡大でできたる。ビッグバンで放出した電磁気のエネルギーは走った距離分だけ減少する。【選択図】図１
2018078750.tif 000002
【特許請求の範囲】
【請求項１】
宇宙の中心のブラックホールはどこにできたか。
宇宙の中心のブラックホールはビッグバンが起きた点にできた。
【請求項２】
宇宙の中心のブラックホールが作る電気の光子であるジェットにより何ができるか。
宇宙の中心のブラックホールが作る電気の光子であるジェットが放出する空間は、“ブラックホールの素子”の時代である。
2007年5月10日に提出した、特願2007-150959  「宇宙2」の「請求項9」に次のように記した。
(「請求項9」クエーサーはどのようにできるか。銀河はどのようにできるか。宇宙の銀河が泡のようになっているのはどうしてか。
10-16mの場は、ブラックホールの場です。いわば、ブラックホールに成る素子がたくさん存在する場です。10-16mの場に存在する自転する電子のラブと陽子のラブを“ブラックホールの素子”と名付ける。“ブラックホールの素子”は10-16mの場に存在する自転する電子のラブと陽子のラブです。これはこの場のダークマターです)
それで、宇宙の中心のブラックホールが作る電気の光子であるジェットは、“ブラックホールの素子”に当たり、これを活性化し、ブラックホールを作る。
ダークマターの活性化については2007年6月15日に提出した、特願2007-183718に記した。
【請求項３】
宇宙の中心のブラックホールのジェットが届く距離について。
2011年7月8日に提出した特願2011-151316  「素粒子と宇宙の引力と軌道エネルギーと速度の統一」の「請求項6」に於いて、ジェットが届く距離＝6.477×1011×10n/3Kmの式を得た。
今回、ブラックホールの質量を3段階に分けて考える。
1段階は、宇宙の中心の2.631×1013太陽質量のブラックホールです。この場合、ジェットが届く距離＝6.477×1011×10n/3Km×102とする。
2段階は、大きい質量のブラックホールで、1011太陽質量と1010太陽質量と109太陽質量の場合です。これは1段階の宇宙の中心の2.631×1013太陽質量ブラックホールが作るブラックホールでエネルギーが弱いので、ジェットが届く距離＝6.477×1011×10n/3Km×10とする。
3段階は、小さい質量のブラックホールで、107太陽質量と106太陽質量と105太陽質量の場合です。これは2段階の1011太陽質量と1010太陽質量と109太陽質量のブラックホールが作るブラックホールでエネルギーがもっと弱いので、ジェットが届く距離＝6.477×1011×10n/3Kmとする。
この事を基にジェットが届く距離を計算する。
宇宙の中心のブラックホールのジェットが届く距離＝6.477×1011×10n/3Km×102＝6.477×1011×(2.631×1013)1/3Km×102＝6.477×1011×26.311/3×104 Km×102＝6.477×1011×2.974×104 Km×102＝1.926×1018Km
宇宙の中央に、2.631×1013太陽質量のブラックホールができた時、ジェット噴射は、軌道半径1.926×1018Kmまで飛んだ。
この軌道半径は、1.926×1018Km÷(9.46×1012Km)＝2.036×105  光年です。
2.036×105光年の軌道に何ができたか。
この軌道にたくさんの質量の大きい質量のブラックホールができた。
この軌道に、1011太陽質量のブラックホールや1010太陽質量のブラックホールや109太陽質量のブラックホールができたとし、この場合について考える。
○1011太陽質量のブラックホールから噴出してジェットが届いた軌道半径は、6.477×1011×1011/3Km×10＝6.477×1015×102/3Km＝6.477×1015×100.666Km＝6.477×1015×4.641Km＝3.006×1016Km、です。
これは、3.006×1016Km÷(9.46×1012Km) ＝3.178×103光年です。
この軌道半径にたくさんの小さい質量のブラックホールができた。このブラックホールは銀河の中心に成るブラックホールです。このブラックホールの質量を107太陽質量とする。
・107太陽質量のブラックホールから噴出するジェットが届いた半径はいくらか。この時のジェットが届いた半径を6.477×1011×10ｎ/3Km、とする。ジェットのエネルギーが弱まったからです。
107太陽質量のブラックホールから噴出するジェットが届く距離＝6.477×1011×107/3Km＝6.477×1013×101/3Km＝6.477×1013×2.154Km＝1.395×1014Km
これは、1.395×1014Km÷(9.46×1012Km)＝1.475×10光年です。
○1010太陽質量のブラックホールから噴出してジェットが届いた軌道半径は、6.477×1011×1010/3Km×10＝6.477×1015×101/3Km＝6.477×1015×2.154Km＝1.395×1016Km、です。
これは、1.395×1016Km÷(9.46×1012Km)＝1.475×103 光年です。
この軌道半径にたくさんの小さい質量のブラックホールができた。このブラックホールは銀河の中心に成るブラックホールです。このブラックホールの質量を106太陽質量とする。
・106太陽質量のブラックホールから噴出するジェットが届いた半径はいくらか。
106太陽質量のブラックホールから噴出するジェットが届く距離＝6.477×1011×106/3Km＝6.477×1013Km
これは、6.477×1013Km÷(9.46×1012Km)＝6.847光年です。
○109太陽質量のブラックホールから噴出してジェットが届いた軌道半径は、6.477×1011×109/3Km×10 ＝6.477×1015Km、です。
これは、6.477×1015Km÷(9.46×1012Km)＝6.847×102光年です。
この軌道半径にたくさんの小さい質量のブラックホールができた。このブラックホールは銀河の中心に成るブラックホールです。このブラックホールの質量を105太陽質量とする。
・105太陽質量のブラックホールから噴出するジェットが届いた半径はいくらか。
105太陽質量のブラックホールから噴出するジェットが届く距離＝6.477×1011×105/3Km＝6.477×1012×102/3Km＝6.477×1012×100.666Km＝6.477×1012×4.641Km＝3.006×1013Km
これは、3.006×1013Km÷(9.46×1012Km)＝3.178光年です。
これらの事は“ブラックホールの素子”の時代におきた。
これらの事をまとめて示す。
“ブラックホールの素子”の時代におきた事
表８
2018078750.tif 000012
【請求項４】
宇宙の中心のブラックホールが作る軌道
宇宙の中心のブラックホールの質量は2.631×1013太陽質量なので、宇宙の軌道エネルギーの式は、2.524×1027JKm÷軌道半径、です。
それで、宇宙の中心のブラックホールが作る、軌道エネルギー＝2.524×1027JKm÷軌道半径、の軌道上を進む。
軌道エネルギー＝電気の光子の軌道エネルギー＝速度2＝2.524×1027JKm÷軌道半径、であり、軌道エネルギー＝磁気の光子の軌道エネルギー＝引力2＝2.524×1027JKm÷軌道半径、です。
大きい質量のブラックホールは全て、宇宙の中心のブラックホールが作る軌道上を回転しながら進む。
これに付随して、小さい質量のブラックホールによりできた泡状銀河団も、銀河達の中心の小さい質量のブラックホールを軸に回転しながら進む。
いわば、宇宙は大別すると6重回転に成っている。1つは宇宙の中心が作る回転。2つは大きい質量のブラックホールが作る回転。3つは小さいブラックホールが作る回転。4つは銀河の中のブラックホールが作る回転。5つは恒星の中心のブラックホールが作る回転。6つは惑星が作る回転です。
これらの回転はより質量の大きい中心軸の回転に付随しながら回転する。
その結果、宇宙の全ての回転は、宇宙の中心のブラックホールが作る軌道上を回転しながら進む。
【請求項５】
泡状の銀河集団はどのようにできたか。
現代観察される泡状の銀河集団は地球から70億光年です。
ビッグバンは地球から150億光年である。
・泡状の銀河集団はビッグバンから何光年離れているか。
150億光年-70億光年＝80億光年
泡状の銀河集団はビッグバンから軌道半径80億光年です。
・軌道半径80億光年は何時代か。
軌道半径80億光年は10-12m時代です。
・10-12m時代の空間は“ブラックホールの素子”の時代の何倍に成っているか。
10-12m÷10-16m＝104
10-12m時代は10-16m時代の、104倍です。
それで、泡状の銀河集団は“ブラックホールの素子”の時代から104倍の大きさに成った。
各々の時代の様子はどのようであるか。
○10-16m時代は“ブラックホールの素子”の時代で105光年。
宇宙の中心のブラックホールがジェットを放出し届く軌道半径は、2×105光年です。
○2×105光年は2×10-16m時代です。
2×105光年の宇宙の様子は次のようです。
宇宙の中心のブラックホールがジェットを放出し届く軌道半径は、2×105光年です。
この軌道半径に大きい質量のブラックホールができる。例えば、1011太陽質量のブラックホールや1010太陽質量のブラックホールや109太陽質量のブラックホールができる。
1011太陽質量のブラックホールが作った、軌道半径＝3.178×103光年です。
更に1011太陽質量のブラックホールがジェットを放出し、107太陽質量のブラックホールができる。107太陽質量のブラックホールが作った、軌道半径＝1.475×10光年です。
1010太陽質量のブラックホールが作った、軌道半径＝1.475×103光年です。
更に1010太陽質量のブラックホールがジェットを放出し、106太陽質量のブラックホールができる。106太陽質量のブラックホールが作った、軌道半径＝6.847光年です。
109太陽質量のブラックホールが作った、軌道半径＝6.847×102光年です。
更に109太陽質量のブラックホールがジェットを放出し、105太陽質量のブラックホールができる。105太陽質量のブラックホールが作った、軌道半径＝3.178光年です。
2×105光年は2×10-16m時代です。
10-15m時代は106光年。
2×10-16m時代にできた物の軌道半径は5倍に成りました。
10-14m時代は107光年。
2×10-16m時代にできた物の軌道半径は50倍に成りました。
10-13m時代は108光年。
2×10-16m時代にできた物の軌道半径は500倍に成りました。
10-12m時代は109光年。
2×10-16m時代にできた物の軌道半径は5×103倍に成りました。
2×10-12m時代は2×109光年。
2×10-16m時代にできた物の軌道半径は2×5×103倍＝104倍に成りました。
○2×10-12m時代は2×109光年です。その時の宇宙の様子はどのようであったか。
“ブラックホールの素子”の時代、宇宙の中心のブラックホールがジェットを放出し届いた軌道半径は、2×109光年です。この軌道半径に1011太陽質量のブラックホールや1010太陽質量のブラックホールや109太陽質量のブラックホールができています。
1011太陽質量のブラックホールが作った、軌道半径＝3.178×107光年です。
更に1011太陽質量のブラックホールがジェットを放出し、107太陽質量のブラックホールができた。その107太陽質量のブラックホールが作った、軌道半径＝1.475×105光年です。
1010太陽質量のブラックホールが作った、軌道半径＝1.475×107光年です。
更に1010太陽質量のブラックホールがジェットを放出し、106太陽質量のブラックホールができた。その106太陽質量のブラックホールが作った、軌道半径＝6.847×104光年です。
109太陽質量のブラックホールが作った、軌道半径＝6.847×106光年です。
更に109太陽質量のブラックホールがジェットを放出し、105太陽質量のブラックホールができた。その105太陽質量のブラックホールが作った、軌道半径＝3.178×104光年です。
現代観察される泡状の銀河集団は地球から70億光年です。
これは、ビッグバンから、150×108-70×108＝80×108、光年です。
○泡状の銀河集団はビッグバンから軌道半径80億光年です。その時の宇宙の状態は、どのようであるか。
軌道半径は2×109光年の何倍か。
8×109÷2×109光年＝4
軌道半径は4倍に成ります。
“ブラックホールの素子”の時代、宇宙の中心のブラックホールがジェットを放出し届いた軌道半径は、4×2×109光年＝8×109光年に成ります。この軌道半径に大きい質量のブラックホールができています。例えば、1011太陽質量のブラックホールや1010太陽質量のブラックホールや109太陽質量のブラックホールができています。
1011太陽質量のブラックホールが作った、軌道半径＝4×3.178×107光年＝1.271×108光年です。この軌道半径に泡状の銀河集団が存在します。
更に1011太陽質量のブラックホールがジェットを放出し、107太陽質量のブラックホールができた。その107太陽質量のブラックホールが作った、軌道半径＝4×1.475×105光年＝5.900×105光年です。これが銀河の半径です。
1010太陽質量のブラックホールが作った、軌道半径＝4×1.475×107光年＝5.900×107光年です。この軌道半径に泡状の銀河集団が存在します。
更に1010太陽質量のブラックホールがジェットを放出し、106太陽質量のブラックホールができた。その106太陽質量のブラックホールが作った、軌道半径＝4×6.847×104光年＝2.739×105光年です。これが銀河の半径です。
109太陽質量のブラックホールが作った、軌道半径＝4×6.847×106光年＝2.739×107光年です。この軌道半径に泡状の銀河集団が存在します。
更に109太陽質量のブラックホールがジェットを放出し、105太陽質量のブラックホールができた。その105太陽質量のブラックホールが作った、軌道半径＝4×3.178×104光年＝1.271×105光年です。これが銀河の半径です。
【請求項６】
現代、宇宙の様子はどのようであるか。ビッグバンから150億年後の宇宙の様子はどのようであるか。
現代は、150億年ですから、150億光年です。80億光年の150÷80＝1.875倍です。
それで、80億光年の1.875倍の状態になります。
○ビッグバンから150億年後の宇宙の様子はどのようであるか。
80億光年の1.875倍の状態を計算します。
“ブラックホールの素子”の時代、宇宙の中心のブラックホールがジェットを放出し届いた軌道半径は、1.875×8×109光年＝1.5×1010光年です。この軌道半径に1011太陽質量のブラックホールや1010太陽質量のブラックホールや109太陽質量のブラックホールができています。
1011太陽質量のブラックホールが作った、軌道半径＝1.875×1.271×108光年＝2.383×108光年です。この軌道半径に泡状の銀河集団が存在します。
更に1011太陽質量のブラックホールがジェットを放出し、107太陽質量のブラックホールができた。その107太陽質量のブラックホールが作った、軌道半径＝1.875×5.900×105光年＝1.106×106光年です。これが銀河の半径です。
1010太陽質量のブラックホールが作った、軌道半径＝1.875×5.900×107光年＝1.106×108光年です。この軌道半径に泡状の銀河集団が存在します。
更に1010太陽質量のブラックホールがジェットを放出し、106太陽質量のブラックホールができた。その106太陽質量のブラックホールが作った、軌道半径＝1.875×2.739×105光年＝5.136×105光年です。これが銀河の半径です。
109太陽質量のブラックホールが作った、軌道半径＝1.875×2.739×107光年＝5.136 ×107光年です。この軌道半径に泡状の銀河集団が存在します。
更に109太陽質量のブラックホールがジェットを放出し、105太陽質量のブラックホールができた。その105太陽質量のブラックホールが作った、軌道半径＝1.875×1.271×105光年＝2.383 ×105光年です。これが銀河の半径です。
この事をまとめて表に示す。
各々の時代の宇宙のブラックホールが作った軌道半径
表９
2018078750.tif 000013
【請求項７】
宇宙はどのようにできたか。
○105光年の時代。“ブラックホールの素子”の時代。10-16m時代。
ビッグバンがおきた点に宇宙の中心のブラックホールができた。ブラックホールの質量は2.631×1013太陽質量です。このブラックホールが宇宙の中心の回転軸に成ります。
○2×105光年の時代。“ブラックホールの素子”の時代。2×10-16m時代。
宇宙の中心のブラックホールからジェットが噴出し、半径2×105光年の軌道に大きな質量のブラックホールを作りました。例えば、1011太陽質量のブラックホールや1010太陽質量のブラックホールや109太陽質量のブラックホールです。このブラックホールは後の時代に泡状銀河団の中心軸に成ります。
1011太陽質量のブラックホールからジェットが噴出し、半径3.178×104光年の軌道にたくさんの小さい質量のブラックホールを作った。例えば、107太陽質量のブラックホールを作った。このブラックホールは後の時代に銀河の中心軸に成ります。
この107太陽質量の質量のブラックホールがジェットを噴出し、半径1.475×10光年の軌道の中のダークマターを活性化し、たくさんの太陽質量の数倍のブラックホールを作った。この太陽質量の数倍のブラックホールが後の時代に第1世代の恒星に成った。
○2×109光年の時代はクエーサーの時代で、2×10-12m時代です。
太陽質量の数倍のブラックホールはクエーサーに成った。
107太陽質量のブラックホールがジェットを噴出し、作った半径1.475×10光年の軌道は半径1.475×105光年の軌道に成る。この中のたくさんの太陽質量の数倍のブラックホールはクエーサーに成ったので、全体としてはたくさんのクエーサーができた。
1011太陽質量のブラックホールがジェットを噴出し、作った半径3.178×103光年の軌道は半径3.178×107光年の軌道に成る。この軌道のたくさんの107〜105太陽質量のブラックホールはクエーサー団に成った。
宇宙の中心のブラックホールがジェットを噴出し、作った半径2×105光年の軌道は半径2×109光年の軌道に成る。この軌道のたくさんの1011〜109太陽質量のブラックホールはたくさんの泡状クエーサー団に成った。
○8×109光年の時代は銀河の時代で8×10-12m時代です。
たくさんのクエーサーはたくさんの恒星に成り、銀河に成った。
たくさんのクエーサー団はたくさんの銀河団に成った。
たくさんの泡状クエーサー団はたくさんの泡状銀河団に成った。
まとめて表に示す。
時代別に、起きた事柄と軌道半径。1011太陽質量のブラックホールと107太陽質量のブラックホールの場合。
表１０
2018078750.tif 000014
2018078750.tif 000015
【請求項８】
軌道の速度と引力はどのようであるか。
宇宙の軌道エネルギーの式は、ブラックホールの質量を10n太陽質量とすると、軌道エネルギー＝5.438×1018＋2n/3JKm÷軌道半径、です。
宇宙の中心のブラックホールは2.631×1013太陽質量であるとし、軌道エネルギー＝4.827×1027JKm÷軌道半径、です。
軌道の速度＝軌道エネルギー1/2
軌道の引力＝軌道エネルギー1/2
2×10-16m時代。
宇宙の軌道半径は、2×105光年です。軌道半径は2×105×9.46×1012Km＝1.892×1018Km、です。
軌道エネルギーは、軌道エネルギー＝4.827×1027JKm÷軌道半径＝4.827×1027JKm÷(1.892×1018Km)＝2.551×109J
軌道の速度＝(2.551×109)1/2＝5.051×104Km
軌道の引力＝5.051×104J＝5.051×104Nm
1011太陽質量のブラックホールが作る軌道エネルギーは、軌道エネルギー＝5.438×1018＋2×11/3JKm÷軌道半径＝5.438×1018＋7.333 JKm÷軌道半径＝5.438×1025×2.154 JKm÷軌道半径＝1.171×1026JKm÷軌道半径、です。
1011太陽質量のブラックホールが作る軌道半径は、3.178×103光年です。
軌道半径＝3.178×103光年＝3.178×103×9.46×1012Km＝3.006×1016Km
軌道エネルギー＝1.171×1026JKm÷軌道半径＝1.171×1026JKm÷(3.006×1016Km)＝3.896×109J
軌道の速度＝(3.896×109J)1/2＝6.242×104Km
軌道の引力＝6.242×104J＝6.242×104Nm
107太陽質量のブラックホールが作る軌道エネルギーは、軌道エネルギー＝5.438×1018＋2×7/3JKm÷軌道半径＝5.438×1018＋4.666JKm÷軌道半径＝5.438×1022×4.641JKm÷軌道半径＝2.524×1023JKm÷軌道半径
107太陽質量のブラックホールが作る軌道半径は、1.475×10光年です。
軌道半径＝1.475×10光年＝1.475×10×9.46×1012Km＝1.395×1014Km
軌道エネルギー＝2.524×1023JKm÷軌道半径＝2.524×1023JKm÷(1.395×1014Km)＝1.809×109J
軌道の速度＝(1.809×109J)1/2＝4.253×104Km
軌道の引力＝4.253×104J＝4.253×104Nm
1010太陽質量のブラックホールが作る軌道エネルギーは、軌道エネルギー＝5.438×1018＋2×10/3JKm÷軌道半径＝5.438×1018＋6.666JKm÷軌道半径＝5.438×1024×4.641JKm÷軌道半径＝2.524×1025JKm÷軌道半径
1010太陽質量のブラックホールが作る軌道半径は、1.475×103光年です。
軌道半径＝1.475×103光年＝1.475×103×9.46×1012Km＝1.395×1016Km
軌道エネルギー＝2.524×1025JKm÷軌道半径＝2.524×1025JKm÷(1.395×1016Km)＝1.809×109J
軌道の速度＝(1.809×109J)1/2＝4.253×104Km
軌道の引力＝4.253×104J＝4.253×104Nm
106太陽質量のブラックホールが作る軌道エネルギーは、軌道エネルギー＝5.438×1018＋2×6/3JKm÷軌道半径＝5.438×1022JKm÷軌道半径
106太陽質量のブラックホールが作る軌道半径は、6.847光年です。
軌道半径＝6.847光年＝6.847×9.46×1012Km＝6.477×1013Km
軌道エネルギー＝5.438×1022JKm÷軌道半径＝5.438×1022JKm÷(6.477×1013Km)＝8.396×108J
軌道の速度＝(8.396×108J)1/2＝2.898×104Km
軌道の引力＝2.898×104J＝2.898×104Nm
109太陽質量のブラックホールが作る軌道エネルギーは、軌道エネルギー＝5.438×1018＋2×9/3JKm÷軌道半径＝5.438×1024JKm÷軌道半径
109太陽質量のブラックホールが作る軌道半径は、6.847×102光年です。
軌道半径＝6.847×102光年＝6.847×102×9.46×1012Km＝6.477×1015Km
軌道エネルギー＝5.438×1024JKm÷軌道半径＝5.438×1024JKm÷(6.477×1015Km)＝8.396×108J
軌道の速度＝(8.396×108J)1/2＝2.898×104Km
軌道の引力＝2.898×104J＝2.898×104Nm
105太陽質量のブラックホールが作る軌道エネルギーは、軌道エネルギー＝5.438×1018＋2×5/3JKm÷軌道半径＝5.438×1018＋10/3JKm÷軌道半径＝5.438×1021×2.154JKm÷軌道半径＝1.171 ×1022JKm÷軌道半径
105太陽質量のブラックホールが作る軌道半径は、3.178光年です。
軌道半径＝3.178光年＝3.178×9.46×1012Km＝3.006×1013Km
軌道エネルギー＝1.171 ×1022JKm÷軌道半径＝1.171 ×1022JKm÷(3.006×1013Km)＝3.896×108J
軌道の速度＝(3.896×108J)1/2＝1.974×104Km
軌道の引力＝1.974×104J＝1.974×104Nm
2×10-15mの時代。
宇宙の軌道半径は、2×106光年です。軌道半径は2×106×9.46×1012Km＝1.892×1019Km、です。
軌道エネルギーは、軌道エネルギー＝4.827×1027JKm÷軌道半径＝4.827×1027JKm÷(1.892×1019Km)＝2.551×108J
軌道の速度＝(2.551×108J)1/2＝1.597×104Km
軌道の引力＝1.597×104J＝1.597×104Nm
1011太陽質量のブラックホールが作る軌道半径は、3.178×104×9.46×1012Km＝3.006×1017Km、です。
軌道エネルギーは、軌道エネルギー＝1.171×1026JKm÷軌道半径＝1.171×1026JKm÷(3.006×1017Km)＝3.896×108J
軌道の速度＝(3.896×108J)1/2＝1.974×104Km
軌道の引力＝1.974×104J＝1.974×104Nm
107太陽質量のブラックホールが作る軌道半径は、1.475×102光年＝1.475×102×9.46×1012Km＝1.395×1015Km 、です。
軌道エネルギーは、軌道エネルギー＝2.524×1023JKm÷軌道半径＝2.524×1023JKm÷(1.395×1015Km)＝1.809×108J
軌道の速度＝(1.809×108J)1/2=1.345×104Km
軌道の引力＝1.345×104J＝1.345×104Nm
1010太陽質量のブラックホールが作る軌道半径は、1.475×104光年×9.46×1012Km＝1.395×1017Km、です。
軌道エネルギーは、軌道エネルギー＝2.524×1025JKm÷軌道半径＝2.524×1025JKm÷(1.395×1017Km)＝1.809×108J
軌道の速度＝(1.809×108J)1/2=1.342×104Km
軌道の引力＝1.342×104J=1.342×104Nm
106太陽質量のブラックホールが作る軌道半径は、6.847×10光年×9.46×1012Km＝6.477×1014Km
軌道エネルギーは、軌道エネルギー＝5.438×1022JKm÷軌道半径＝5.438×1022JKm÷(6.477×1014Km)＝8.396×107J
軌道の速度＝(8.396×107J)1/2=9.163 ×103Km
軌道の引力＝9.163 ×103J＝9.163 ×103Nm
109太陽質量のブラックホールが作る軌道半径は、6.847×103光年×9.46×1012Km＝6.477×1016Km
軌道エネルギーは、軌道エネルギー＝5.438×1024JKm÷軌道半径＝5.438×1024JKm÷(6.477×1016Km)＝8.396×107J
軌道の速度＝(8.396×107J)1/2=9.163×103Km
軌道の引力＝9.163×103J＝9.163×103Nm
105太陽質量のブラックホールが作る軌道半径は、3.178×10光年×9.46×1012Km＝3.006×1014Km
軌道エネルギーは、軌道エネルギー＝1.171 ×1022JKm÷軌道半径＝1.171 ×1022JKm÷(3.006×1014Km)＝3.896×107J
軌道の速度＝(3.896×107J)1/2=6.242×103Km
軌道の引力＝6.242×103J＝6.242×103Nm
2×10-14mの時代
宇宙の軌道半径は、2×107光年です。軌道半径は2×107×9.46×1012Km＝1.892×1020Km、です。
軌道エネルギーは、軌道エネルギー＝4.827×1027JKm÷軌道半径＝4.827×1027JKm÷(1.892×1020Km)＝2.551×107Km
軌道の速度＝(2.551×107J)1/2＝5.051×103Km
軌道の引力＝5.051×103J＝5.051×103Nm
1011太陽質量のブラックホールが作る軌道半径は、3.178×105光年＝3.178×105×9.46×1012Km＝3.006×1018Km、です。
軌道エネルギー＝1.171×1026JKm÷軌道半径＝1.171×1026JKm÷(3.006×1018Km)＝3.896×107J
軌道の速度＝(3.896×107J)1/2＝6.242×103Km
軌道の引力＝6.242×103J＝6.242×103Nm
107太陽質量のブラックホールが作る軌道半径は、1.475×103光年＝1.475×103×9.46×1012Km＝1.395×1016Km 、です。
軌道エネルギーは、軌道エネルギー＝2.524×1023JKm÷軌道半径＝2.524×1023JKm÷(1.395×1016Km)＝1.809×107J
軌道の速度＝(1.809×107J)1/2=4.253×103Km
軌道の引力＝1.345×104J＝4.253×103Nm
1010太陽質量のブラックホールが作る軌道半径は、1.475×105光年＝1.475×105×9.46×1012Km＝1.395×1018Km、です。
軌道エネルギーは、軌道エネルギー＝2.524×1025JKm÷軌道半径＝2.524×1025JKm÷(1.395×1018Km)＝1.809×107J
軌道の速度＝(1.809×107J)1/2=4.243×103Km
軌道の引力＝4.243×103J=4.243×103Nm
106太陽質量のブラックホールが作る軌道半径は、6.847×102光年＝6.847×102×9.46×1012Km＝6.477×1015Km
軌道エネルギーは、軌道エネルギー＝5.438×1022JKm÷軌道半径＝5.438×1022JKm÷(6.477×1015Km)＝8.396×106J
軌道の速度＝(8.396×106J)1/2=2.898×103Km
軌道の引力＝2.898×103J＝2.898×103Nm
109太陽質量のブラックホールが作る軌道半径は、6.847×104光年＝6.847×104×9.46×1012Km＝6.477×1017Km
軌道エネルギーは、軌道エネルギー＝5.438×1024JKm÷軌道半径＝5.438×1024JKm÷(6.477×1017Km)＝8.396×106J
軌道の速度＝(8.396×106J)1/2=2.898×103Km
軌道の引力＝2.898×103J＝2.898×103Nm
105太陽質量のブラックホールが作る軌道半径は、3.178×102光年＝3.178×102×9.46×1012Km＝3.006×1015Km
軌道エネルギーは、軌道エネルギー＝1.171 ×1022JKm÷軌道半径＝1.171 ×1022JKm÷(3.006×1015Km)＝3.896×106J
軌道の速度＝(3.896×106J)1/2=1.974×103Km
軌道の引力＝1.974×103J＝1.974×103Nm
80億光年時代
宇宙の軌道半径は、8×109光年です。軌道半径は、8×109光年＝8×109×9.46×1012Km＝7.568×1022Km、です。
軌道エネルギーは、軌道エネルギー＝4.827×1027JKm÷軌道半径＝4.827×1027JKm÷(7.568×1022Km)＝6.378×104J
軌道の速度＝(6.378×104J)1/2＝2.525×102Km
軌道の引力＝2.525×102J＝2.525×102Nm
1011太陽質量のブラックホールが作る軌道半径は、1.271×108光年＝1.271×108×9.46×1012Km＝1.202×1021Km、です。
軌道エネルギーは、軌道エネルギー＝1.171×1026JKm÷軌道半径＝1.171×1026JKm÷(1.202×1021Km)＝9.742×104J
軌道の速度＝(9.742×104J)1/2＝3.121×102Km
軌道の引力＝3.121×102J＝3.121×102Nm
107太陽質量のブラックホールが作る軌道半径は、5.900×105光年＝5.900×105×9.46×1012Km＝5.581×1018Km 、です。
軌道エネルギーは、軌道エネルギー＝2.524×1023JKm÷軌道半径＝2.524×1023JKm÷(5.581×1018Km)＝4.522×104J
軌道の速度＝(4.522×104J)1/2=2.126×102Km
軌道の引力＝2.126×102J＝2.126×102Nm
1010太陽質量のブラックホールが作る軌道半径は、5.900×107光年＝5.900×107×9.46×1012Km＝5.581×1020Km、です。
軌道エネルギーは、軌道エネルギー＝2.524×1025JKm÷軌道半径＝2.524×1025JKm÷(5.581×1020Km)＝4.522×104J
軌道の速度＝(4.522×104J)1/2＝2.126×102Km
軌道の引力＝2.126×102J＝2.126×102Nm
106太陽質量のブラックホールが作る軌道半径は、2.739×105光年＝2.739×105×9.46×1012Km＝2.591×1018Km
軌道エネルギーは、軌道エネルギー＝5.438×1022JKm÷軌道半径＝5.438×1022JKm÷(2.591×1018Km)＝2.099×104J
軌道の速度＝(2.099×104J)1/2=1.449×102Km
軌道の引力＝1.449×102J＝1.449×102Nm
109太陽質量のブラックホールが作る軌道半径は、2.739×107光年＝2.739×107×9.46×1012Km＝2.591×1020Km
軌道エネルギーは、軌道エネルギー＝5.438×1024JKm÷軌道半径＝5.438×1024JKm÷ (2.591×1020Km)＝2.099×104J
軌道の速度＝(2.099×104J)1/2=1.446×102Km
軌道の引力＝1.446×102J＝1.446×102Nm
105太陽質量のブラックホールが作る軌道半径は、1.271×105光年＝1.271×105×9.46×1012Km＝1.202×1018Km
軌道エネルギーは、軌道エネルギー＝1.171 ×1022JKm÷軌道半径＝1.171 ×1022JKm÷(1.202×1018Km)＝9.742×103J
軌道の速度＝(9.742×103J)1/2＝9.870×10Km
軌道の引力＝9.870×10J＝9.870×10Nm
150億光年時代
宇宙の軌道半径は、1.5×1010光年です。軌道半径は、1.5×1010光年＝1.5×1010×9.46×1012Km＝1.419×1023Km、です。
軌道エネルギーは、軌道エネルギー＝4.827×1027JKm÷軌道半径＝4.827×1027JKm÷ (1.419×1023Km)＝3.402×104J
軌道の速度＝(3.402×104J)1/2＝1.844×102Km
軌道の引力＝1.844×102J＝1.844×102Nm
1011太陽質量のブラックホールが作る軌道半径は、2.383×108光年＝2.383×108×9.46×1012Km＝2.254×1021Km、です。
軌道エネルギーは、軌道エネルギー＝1.171×1026JKm÷軌道半径＝1.171×1026JKm÷(2.254×1021Km)＝5.195×104J
軌道の速度＝(5.195×104J)1/2＝2.279×102Km
軌道の引力＝2.279×102J＝2.279×102Nm
107太陽質量のブラックホールが作る軌道半径は、1.106×106光年＝1.106×106×9.46×1012Km＝1.046×1019Km 、です。
軌道エネルギーは、軌道エネルギー＝2.524×1023JKm÷軌道半径＝2.524×1023JKm÷(1.046×1019Km)＝2.413×104J
軌道の速度＝(2.413×104J)1/2=1.553×102Km
軌道の引力＝1.553×102J＝1.553×102Nm
1010太陽質量のブラックホールが作る軌道半径は、1.106×108光年＝1.106×108×9.46×1012Km＝1.046×1021Km、です。
軌道エネルギーは、軌道エネルギー＝2.524×1025JKm÷軌道半径＝2.524×1025JKm÷(1.046×1021Km)＝2.413×104J
軌道の速度＝(2.413×104J)1/2＝4.912×102Km
軌道の引力＝4.912×102J＝4.912×102Nm
106太陽質量のブラックホールが作る軌道半径は、5.136×105光年＝5.136×105×9.46×1012Km＝4.859×1018Km
軌道エネルギーは、軌道エネルギー＝5.438×1022JKm÷軌道半径＝5.438×1022JKm÷(4.859×1018Km)＝1.119×104J
軌道の速度＝(1.119×104J)1/2=1.058×102Km
軌道の引力＝1.058×102J＝1.058×102Nm
109太陽質量のブラックホールが作る軌道半径は、5.136 ×107光年＝5.136 ×107×9.46×1012Km＝4.859×1020Km
軌道エネルギーは、軌道エネルギー＝5.438×1024JKm÷軌道半径＝5.438×1024JKm÷ (4.859×1020Km)＝1.119×104J
軌道の速度＝(1.119×104J)1/2=1.058×102Km
軌道の引力＝1.058×102J＝1.058×102Nm
105太陽質量のブラックホールが作る軌道半径は、2.383 ×105光年＝2.383 ×105光年×9.46×1012Km＝2.254×1018Km
軌道エネルギーは、軌道エネルギー＝1.171 ×1022JKm÷軌道半径＝1.171 ×1022JKm÷(2.254×1018Km)＝5.195×103J
軌道の速度＝(5.195×103J)1/2＝7.208×10Km
軌道の引力＝7.208×10J＝7.208×10Nm
まとめて表に示す。
各々の時代のブラックホールが作った軌道半径の速度と引力
表１１
2018078750.tif 000016
2018078750.tif 000017
【請求項９】
引力2と加速度
物には引力2があり、それは速度2である。
それで、引力２と速度2は切り離せない。
引力2は速度2である。引力2は加速度である。
下に引力2が働き下に加速度となる。
横に引力2が働き横に加速度となる。
上に引力2が働き上に加速度となる。
宇宙に於いてこれが顕著にあらわれる。
物はそれ自体引力2と速度2を持っている。
引力2と速度2はエネルギーです。
物はそれ自体自分の引力2と速度2を持っている。
物はそれ自体自分の引力2と速度2のエネルギーを持っている。
宇宙に於いて引力2と速度2は軌道エネルギーである。
宇宙に於いて物は自分の軌道エネルギーを持っている。
それ故、宇宙の物は自分の引力2と速度2のエネルギーの場である自分の軌道エネルギーの場に存在する。
【請求項１０】
軌道エネルギーとその軌道に存在する物。
物は自分のエネルギーと同じエネルギーの場に存在する。
宇宙では、物は自分の軌道エネルギーと同じ軌道エネルギーの場に存在する。
宇宙では、物は引力2と速度2であるので、ある方向に向かって走る。その速さは一定です。その速さは軌道エネルギー1/2です。
月は地球が作る軌道エネルギーの軌道を公転する。
太陽系では、太陽が作る軌道を、惑星たちは自分の軌道エネルギーと同じ軌道を公転する。
銀河系では、中央のブラックホールが作る軌道を、小さなエネルギーのブラックホール達は自分の軌道エネルギーと同じ軌道を公転する。
銀河系では、近くのブラックホールが作る軌道を、星たちは自分の軌道エネルギーと同じ軌道を公転する。
小さなエネルギーの物は、近くのそれより大きいエネルギーの物が作る軌道エネルギーの軌道を公転する。自分の軌道エネルギーと同じ軌道を公転する。
この事は引力2と速度2に関係する。
軌道エネルギーとは速度2であり、引力2です。
小さなエネルギーの物とは、小さい速度2の物であり、小さい引力2の物です。
それで、小さなエネルギーの物は、大きいエネルギーの物が作る軌道エネルギー即ち、大きい物が作る速度2と引力2の軌道に存在する。
自分のエネルギーと同じ速度2と引力2の軌道に存在する。自分の軌道エネルギーと同じ軌道を公転する。
【請求項１１】
宇宙の形はどのようであるか。
銀河系の全ての物は間接的に銀河系の中心のブラックホールが作る軌道を回転する。
銀河系は泡状の銀河団の中の1つの銀河です。
泡状の銀河団は中心の大きな質量(例えば、109太陽質量や1010太陽質量)のブラックホールが作る軌道を回転する。
109太陽質量や1010太陽質量等の大きな質量のブラックホールは宇宙の中心のブラックホールが作った軌道を回転する。
それで、宇宙の全ての物は間接的に、宇宙の中心のブラックホールが作る軌道を回転する。
銀河系が中心のブラックホールを中心に回転しているように、宇宙の全ての物は宇宙の中心のブラックホールを中心に回転している。
銀河系が中心のブラックホールを中心に目玉焼きのような形で回転しているように、宇宙の全ての物は宇宙の中心のブラックホールを中心に目玉焼きのような形で回転している。
泡状の銀河団はドーナツ型の軌道の空間を自転しながら公転し、更に大きな質量のブラックホールの周りを回転している。そして、大きな質量のブラックホールは宇宙の中心のブラックホールが作る軌道を泡状の銀河団と共に回転する。
【請求項１２】
もし、宇宙の中心のブラックホールが移動しているとするなら、その事は何を意味するのか。
2012年6月13日に提出した、特願2012-133515  「宇宙の軌道エネルギーと泡状銀河集団の回転」に於いて、泡状銀河集団の回転状態を示した。宇宙の中心のブラックホールが移動する状態として、宇宙の形を理解した。もし、宇宙の中心のブラックホールが移動しているとするなら、その事は、宇宙の中心のブラックホールを移動させる力が存在する事を意味する。宇宙の中心のブラックホールの質量よりもっと質量の大きいブラックホールが存在する事を意味する。宇宙の中心のブラックホールの質量よりもっと質量の大きいブラックホールが軌道を作り、その軌道上を宇宙の中心のブラックホールが回転している事を意味する。この場合、ビッグバンはもう1つの、宇宙の中心のブラックホールの質量よりもっと質量の大きいブラックホールを作った事に成る。ビッグバンはこの宇宙の別の宇宙でおき、この宇宙ではおきなかった事に成る。
【請求項１３】
背景放射の構図は、はたして宇宙の初期の構図を示すものであるか。
背景放射は、現在、宇宙のあらゆる方向から来る背景放射の温度を調べたものであり、現代の宇宙の形を示している。
2015年12月15日に提出した、特願2016-203148  「時間と空間と軌道エネルギーと密度と引力」の「請求項12」で次のように記した。なお、電磁気の解体は電磁気の変化です。
｛「請求項12」ビッグバンから電磁気の解体はどのように進んだか。背景放射から考える。その2。背景放射の波長の長さの拡大は、空間の拡大による。
特願2015-244677、「マイナスの宇宙３」の「請求項１９」に次のように記した。
(ビッグバンから電磁気の解体はどのように進んだか。背景放射から考える。
背景放射の波長は、2×10−3mで、温度は、2.73Kです。
背景放射の軌道は2×10−3m÷2＝10−3m、です。
背景放射のエネルギーは、2.73×1.38065×10−23J=3.769×10−23J、です。
ビッグバンで放出した電磁気は外部の環境にあわせたエネルギー体に変化した。
その温度は、2.73Kです。そのエネルギーは3.769×10−23Jです。軌道は3.269×10−19mです。これがインフレ―ションです。
ビッグバンで放出した、電子のラブに成るはずの電磁気1個のエネルギーは1.256×10-9Jで、軌道は9.817×10−33mです。
ビッグバンで放出した、陽子のラブに成るはずの電磁気1個のエネルギーは2.306×10−6Jで、軌道は5.347×10−36mです。
この電磁気は外部の環境にあわせたエネルギー体に変化しその温度は、2.73Kに成った。そのエネルギーは3.769×10−23Jに成った。軌道は3.269×10−19mに成った。
電子のラブに成るはずの電磁気1個のエネルギーは、1.256×10-9J÷(3.769×10−23J)＝3.332×1013分の1に成り、軌道は、3.332×1013倍に成り、9.817×10−33m×3.332×1013＝3.269×10−19m、に成った。
陽子のラブに成るはずの電磁気1個のエネルギーは、2.306×10−6J÷(3.769×10−23J)＝6.118×1016分の1に成り、軌道は、6.118×1016倍に成り、5.347×10−36m×6.118×1016＝3.271×10−19m、に成った。
更に軌道は10−3mに成り、10−3m÷(3.269×10−19m)＝3.059×1015倍に成った。
ビッグバンで放出した、電子のラブに成るはずの電磁気1個はどのように変化したか。
表１２
2018078750.tif 000018
)
今回は、更に軌道は10−3mに成り、10−3m÷(3.269×10−19m)＝3.059×1015倍に成った事について考察する。
１．背景放射の波長の長さの拡大は、空間の拡大による。
空間が大きく成り、電磁気の波長の長さが長くなったためです。
ビッグバンの時10-24mの公転軌道であった電子のラブの公転軌道は地表で、1.058×10-10mに成った。公転軌道は、1.058×10-10m÷10-24m＝1.058×1014倍に成った。
空間は、1.058×1014倍に成った。
それで、インフレーションで、3.269×10-19mの電磁気の軌道は、1.058×1014倍に成り、3.269×10-19m×1.058×1014＝3.459×10-4mに成った。
この波長は、軌道の2倍ですから、2×3.459×10-4m＝6.918×10-4m、です。
更に波長は、ほぼ直線になり、3.14倍の長さに成っているので、6.918×10-4m×3.14＝2.172×10-3mに成った。
背景放射の波長が2×10-3mであるのは、空間が広がったためです。長さが長く成ったためです。｝
特願2016-203148の、(それで、インフレーションで、3.269×10-19mの電磁気の軌道は、1.058×1014倍に成り、3.269×10-19m×1.058×1014＝3.459×10-4mに成った)の部分は誤りです。それで、空間の拡大で、3.269×10-19mの電磁気の軌道は、1.058×1014倍に成り、3.269×10-19m×1.058×1014＝3.459×10-4mに成った。と訂正する。
これは、背景放射は現代の物である事の証拠です。
このことをまとめて表に示す。
背景放射はインフレーションと空間の拡大によりできた。背景放射ができる過程その１
表１３
2018078750.tif 000019
この背景放射は現代地球に届いているものであり、現代の宇宙からやってくる光子です。
それで、背景放射の図は現代の背景放射の図です。
【請求項１４】
背景放射の拡大は走った距離分のエネルギーの減少による。背景放射ができる過程その2
ビッグバンで放出した電磁気のエネルギーは走った距離分だけ減少する。
それで、電磁気のエネルギーは、走った距離×見かけ上の数＝走った距離×105Km＝150×108×9.46×1012Km×105=1.419×1028、分の1に成ります。
ビッグバンで放出した電磁気のエネルギーは1.256×10-9Jですから、1.256×10-9J÷(1.419×1028)＝8851×10-38J、です。
この軌道は、1.233×10-41Jm÷(8851×10-38J)=1.393×10-4m、です。
これは軌道ですから、波長にすると、2×1.393×10-4m＝2.786×10-4m、です。
さらに波長は伸びて、線に成りますから、3.14×2.786×10-4m＝8.748×10-4m、です。
ビッグバンで放出した電磁気のエネルギーは走った距離分だけ減少し、軌道は2.786×10-4mに成り、軌道は波長に成り更に線に成りますから、8.748×10-4mに成ります。
このように、ビッグバンで放出した電磁気は背景放射に成りました。
これは、背景放射は現代の物である事の証拠です。
この事を表に示す。
背景放射の拡大は走った距離分のエネルギーの減少によりできた。背景放射ができる過程その2
表１４
2018078750.tif 000020
この背景放射は現代地球に届いているものであり、現代の宇宙からやってくる光子です。
それで、背景放射の図は現代の背景放射の図です。
【発明の詳細な説明】
【技術分野】
【０００１】
本発明は、宇宙の形と背景放射に関するものである。
【背景技術】
【０００２】
・特願2015-244677、「マイナスの宇宙３」の「請求項１９」に次のように記した。
(ビッグバンから電磁気の解体はどのように進んだか。背景放射から考える。
背景放射の波長は、2×10−3mで、温度は、2.73Kです。
背景放射の軌道は2×10−3m÷2＝10−3m、です。
背景放射のエネルギーは、2.73×1.38065×10−23J=3.769×10−23J、です。
ビッグバンで放出した電磁気は外部の環境にあわせたエネルギー体に変化した。
その温度は、2.73Kです。そのエネルギーは3.769×10−23Jです。軌道は3.269×10−19mです。これがインフレ―ションです。
ビッグバンで放出した、電子のラブに成るはずの電磁気1個のエネルギーは1.256×10-9Jで、軌道は9.817×10−33mです。
ビッグバンで放出した、陽子のラブに成るはずの電磁気1個のエネルギーは2.306×10−6Jで、軌道は5.347×10−36mです。
この電磁気は外部の環境にあわせたエネルギー体に変化しその温度は、2.73Kに成った。そのエネルギーは3.769×10−23Jに成った。軌道は3.269×10−19mに成った。
・2012年6月13日に提出した、特願2012-133515  「宇宙の軌道エネルギーと泡状銀河集団の回転」に於いて、泡状の銀河集団の回転状態を示した。10-16m時代、10-15m時代、10-14m時代に分けた。その中で、1011太陽質量のブラックホールが作る泡状の軌道の銀河達と、1010太陽質量のブラックホールが作る泡状の軌道の銀河達と、109太陽質量のブラックホールが作る泡状の軌道の銀河達について記した。宇宙の中心のブラックホールが移動する状態として、宇宙の形を理解した。
・2016年10月14日に提出した、特願2016-203148  「時間と空間と軌道エネルギーと密度と引力」の「請求項10」に於いて、次のように記した。
10．ブラックホールのジェットは何によりできるか。ブラックホールの吸引力は何によりできるか。重力波はどのようにできるか。ブラックホールのジェットと吸引力と重力波の発生原理。
ブラックホールのジェットは吸い込む面に対して垂直の方向に噴射する。
ブラックホールの吸引力は磁気の光子の引力による。
磁気の光子の作用方向に対して、垂直の方向に働くのは電気の光子である。
即ち、ブラックホールのジェットは磁気の光子の作用方向に対して、垂直の方向に働くので、電気の光子の作用です。
ブラックホールのジェットは電気の光子の作用方向であり、電気の光子が作用している。
1公転で作る電気の光子のエネルギーと磁気の光子のエネルギーは、等しい。
よって、磁気の光子の働きである引力になる引くエネルギーと、電気の光子の働きである噴出するエネルギーは等しい。
ブラックホールの中性子のラブが1秒間に作る磁気の光子は、1.001×10-6Jで、この磁気の光子は引力に成る。
ブラックホールの中性子のラブが1秒間に作る電気の光子は、1.001×10-6Jで、この電気の光子は噴出力に成る。
重力波はブラックホールから発生する磁気の光子の波動です。
ブラックホールの中性子のラブが1秒間に作る磁気の光子は、1.001×10-6Jで、この磁気の光子が集まって重力波に成る。
例えば、ブラックホールの質量が10ｎ太陽質量の場合、ブラックホールの中性子数は、太陽の原子数×10ｎ個で、1秒間にできる磁気の光子のエネルギーは、太陽の原子数×10ｎ×10-6Jです。毎秒この磁気の光子のエネルギーが重力波として、ブラックホールから出る。毎秒この磁気の光子のエネルギーが引力に成る。
ブラックホールの質量が10ｎ太陽質量の場合、ブラックホールの中性子数は、太陽の原子数×10ｎ個で、1秒間にできる電気の光子のエネルギーは、太陽の原子数×10ｎ×10-6Jです。毎秒この電気の光子のエネルギーがジェットとして出る。
即ち、ブラックホールの引力のエネルギーとジェットのエネルギーは等しい。
【先行技術文献】
【特許文献】
【０００３】
【特許文献１】特願2007-150959
【特許文献３】特願2007-183718
【特許文献４】特願2012-109671
【特許文献５】特願2012-121431
【特許文献６】特願2012-133515
【特許文献７】特願2015-244677
【特許文献８】特願2016-203148
【発明の概要】
【発明が解決しようとする課題】
【０００４】
１．    宇宙の中心のブラックホールはどこにできたか。
２．    宇宙の中心のブラックホールが作る電気の光子であるジェットにより何ができるか。
３．    宇宙の中心のブラックホールのジェットが届く距離について。
４．    宇宙の中心のブラックホールが作る軌道
５．    泡状の銀河集団はどのようにできたか。
６．    現代、宇宙の様子はどのようであるか。ビッグバンから150億年後の宇宙の様子はどのようであるか。
７    宇宙はどのようにできたか。
８．    軌道の速度と引力はどのようであるか。
９．    引力2と加速度
１１．    宇宙の形はどのようであるか。
１２．    もし、宇宙の中心のブラックホールが移動しているとするなら、その事は何を意味するのか。
１３．    背景放射の構図は、はたして宇宙の初期の構図を示すものであるか。
１４．    背景放射の拡大は走った距離分のエネルギーの減少による。背景放射ができる過程その2
【課題を解決するための手段】
【０００５】
１．この事については以前記した。
2．この事については以前記した。
3．今回、ブラックホールの質量を3段階に分けて考える。
1段階は、宇宙の中心の2.631×1013太陽質量のブラックホールです。この場合、ジェットが届く距離＝6.477×1011×10n/3Km×102とする。
2段階は、大きい質量のブラックホールで、1011太陽質量と1010太陽質量と109太陽質量の場合です。これは1段階の宇宙の中心の2.631×1013太陽質量ブラックホールが作るブラックホールでエネルギーが弱いので、、ジェットが届く距離＝6.477×1011×10n/3Km×10とする。
3段階は、小さい質量のブラックホールで、107太陽質量と106太陽質量と105太陽質量の場合です。これは2段階の1011太陽質量と1010太陽質量と109太陽質量のブラックホールが作るブラックホールでエネルギーがもっと弱いので、、ジェットが届く距離＝6.477×1011×10n/3Kmとする。
4． これらの回転はより質量の大きい中心軸の回転に付随しながら回転する。
5．現代観察される泡状の銀河集団は地球から70億光年です。泡状の銀河集団はビッグバンから軌道半径80億光年です。
6．現代は、150億年ですから、150億光年です。80億光年の150÷80＝1.875倍です。それで、80億光年の1.875倍の状態になります。
7．○105光年の時代。“ブラックホールの素子”の時代。10-16m時代。
○2×105光年の時代。“ブラックホールの素子”の時代。2×10-16m時代。
○2×109光年の時代はクエーサーの時代で、2×10-12m時代です。
○8×109光年の時代は銀河の時代で8×10-12m時代です。
8．宇宙の軌道エネルギーの式は、ブラックホールの質量を10n太陽質量とすると、軌道エネルギー＝5.438×1018＋2n/3JKm÷軌道半径、です。
軌道の速度＝軌道エネルギー1/2
軌道の引力＝軌道エネルギー1/2
この式により計算する。
9．物はそれ自体引力2と速度2を持っている。
引力2と速度2はエネルギーです。
物はそれ自体自分の引力2と速度2を持っている。
物はそれ自体自分の引力2と速度2のエネルギーを持っている。
10．太陽系では、太陽が作る軌道を、惑星たちは自分の軌道エネルギーと同じ軌道を公転する。
11．銀河系が中心のブラックホールを中心に目玉焼きのような形で回転しているように、宇宙の全ての物は宇宙の中心のブラックホールを中心に目玉焼きのような形で回転している。
12．宇宙の中心のブラックホールの質量よりもっと質量の大きいブラックホールが存在する事を意味する。
13．背景放射は、現在、宇宙のあらゆる方向から来る背景放射の温度を調べたものであり、現代の宇宙の形を示している。
ビッグバンで放出した電磁気は外部の環境にあわせたエネルギー体に変化した。
その温度は、2.73Kです。そのエネルギーは3.769×10−23Jです。軌道は3.269×10−19mです。これがインフレ―ションです。
ビッグバンで放出した、電子のラブに成るはずの電磁気1個のエネルギーは1.256×10-9Jで、軌道は9.817×10−33mです。
ビッグバンで放出した、陽子のラブに成るはずの電磁気1個のエネルギーは2.306×10−6Jで、軌道は5.347×10−36mです。
この電磁気は外部の環境にあわせたエネルギー体に変化しその温度は、2.73Kに成った。そのエネルギーは3.769×10−23Jに成った。軌道は3.269×10−19mに成った。
そして、空間の拡大で、3.269×10-19mの電磁気の軌道は、1.058×1014倍に成り、3.269×10-19m×1.058×1014＝3.459×10-4mに成った
これは、背景放射は現代の物である事の証拠です。
14．ビッグバンで放出した電磁気のエネルギーは走った距離分だけ減少する。
それで、電磁気のエネルギーは、走った距離×見かけ上の数＝走った距離×105Km＝150×108×9.46×1012Km×105=1.419×1028、分の1に成ります。
ビッグバンで放出した電磁気のエネルギーは1.256×10-9Jですから、1.256×10-9J÷(1.419×1028)＝8851×10-38J、です。
この軌道は、1.233×10-41Jm÷(8851×10-38J)=1.393×10-4m、です。
これは、背景放射は現代の物である事の証拠です。
【発明の効果】
【０００６】
3．“ブラックホールの素子”の時代におきた事を表に示す。
4．その結果、宇宙の全ての回転は、宇宙の中心のブラックホールが作る軌道上を回転しながら進む。
5．各々の時代の宇宙のブラックホールが作った軌道半径を表に示す。
6．各々の時代の宇宙のブラックホールが作った軌道半径を表に示す。
7．時代別に、起きた事柄と軌道半径。1011太陽質量のブラックホールと107太陽質量のブラックホールの場合を表に示す。
8．各々の時代のブラックホールが作った軌道半径の速度と引力を表に示す。
9．宇宙に於いて引力2と速度2は軌道エネルギーである。
宇宙に於いて物は自分の軌道エネルギーを持っている。
それ故、宇宙の物は自分の引力2と速度2のエネルギーの場である自分の軌道エネルギーの場に存在する。
10．それで、小さなエネルギーの物は、大きいエネルギーの物が作る軌道エネルギー即ち、大きい物が作る速度2と引力2の軌道に存在する。
自分のエネルギーと同じ速度2と引力2の軌道に存在する。自分の軌道エネルギーと同じ軌道を公転する。
11．図に示す。
12．この場合、ビッグバンはもう1つの、宇宙の中心のブラックホールの質量よりもっと質量の大きいブラックホールを作った事に成る。
ビッグバンはこの宇宙の別の宇宙でおき、この宇宙ではおきなかった事に成る。
13．背景放射はインフレーションと空間の拡大によりできた。背景放射ができる過程その１を表に示す。
14．背景放射の拡大は走った距離分のエネルギーの減少によりできた。背景放射ができる過程その2を表に示す。
【図面の簡単な説明】
【０００７】
【図１】図１は宇宙の形成を示す。宇宙の中心のブラックホールを中心に回転する宇宙の形の平面図。○105光年の時代。10-16m時代は“ブラックホールの素子”の時代。ビッグバンがおきた点に宇宙の中心のブラックホール(１)ができた。ブラックホールの質量は2.631×1013太陽質量です。このブラックホールが宇宙の中心の回転軸に成ります。宇宙の中心のブラックホールからジェットが噴出し、半径2×105光年の軌道(２)に大きな質量のブラックホール(３)を作りました。例えば、1011太陽質量のブラックホール(４)や1010太陽質量のブラックホール(５)や109太陽質量のブラックホール(６)です。1011太陽質量のブラックホール(４)や1010太陽質量のブラックホール(５)や109太陽質量のブラックホール(６)を拡大して画いた。このブラックホールは後の時代に泡状銀河団の中心軸に成ります。○2×105光年の時代。“ブラックホールの素子”の時代。2×10-16m時代。1011太陽質量のブラックホールからジェットが噴出し、半径3.178×104光年の軌道(７)にたくさんの質量のブラックホールを作った。例えば、107太陽質量のブラックホール(８)を作った。このブラックホールは後の時代に銀河の中心軸に成ります。この107太陽質量の質量のブラックホールがジェットを噴出し、半径1.475×10光年の軌道(９)の中のダークマターを活性化し、たくさんの太陽質量の数倍のブラックホール(１０)を作った。この太陽質量の数倍のブラックホールが後の時代に第1世代の恒星に成った。○2×109光年の時代はクエーサーの時代で、2×10-12m時代です。太陽質量の数倍のブラックホールはクエーサー(１１)に成った。107太陽質量の質量のブラックホールがジェットを噴出し、作った半径1.475×10光年の軌道は半径1.475×105光年の軌道に成る。この中のたくさんの太陽質量の数倍のブラックホールはクエーサーに成ったので、全体としてはたくさんのクエーサーができた。1011太陽質量のブラックホールがジェットを噴出し、作った半径3.178×103光年の軌道は半径3.178×107光年の軌道に成る。この軌道のたくさんの107〜105太陽質量のブラックホールはクエーサー団(１２)に成った。宇宙の中心のブラックホールがジェットを噴出し、作った半径2×105光年の軌道は半径2×109光年の軌道に成る。この軌道のたくさんの1011〜109太陽質量のブラックホールはたくさんの泡状クエーサー団に成った。○8×109光年の時代は銀河の時代で8×10-12m時代です。たくさんのクエーサーはたくさんの恒星に成り、銀河(１３)に成った。たくさんのクエーサー団はたくさんの銀河に成った。たくさんの泡状クエーサー団はたくさんの泡状銀河団(１４)に成った。
【図２】は、2×105光年の拡大図です。1011太陽質量のブラックホールからジェットが噴出し、半径3.178×104光年の軌道(７)にたくさんの質量のブラックホールを作った。例えば、107太陽質量のブラックホール(８)を作った。このブラックホールは後の時代に銀河の中心軸に成ります。この107太陽質量の質量のブラックホールがジェットを噴出し、半径1.475×10光年の軌道(９)の中のダークマターを活性化し、たくさんの太陽質量の数倍のブラックホール(１０)を作った。この太陽質量の数倍のブラックホールが後の時代に第1世代の恒星に成った。
【図３】図３は宇宙の中心のブラックホールを中心に回転する宇宙の形中心に宇宙の中心のブラックホールが存在し、宇宙の軌道を作っている。この軌道上を大きい質量の1011〜109太陽質量のブラックホールが回転する。大きい質量のブラックホールが作る軌道上に泡状の銀河団が存在する。泡状の銀河団の外側を銀河達が銀河達の中心の107〜105太陽質量のブラックホールを中心に回転する。107〜105太陽質量のブラックホールは、大きい質量の1011〜109太陽質量のブラックホールが回転する軌道上を回転するので、銀河達も間接的に宇宙の中心のブラックホールが作る宇宙の軌道を回転する。
【発明をするための形態】
【０００８】
１．    宇宙の中心のブラックホールはどこにできたか。
宇宙の中心のブラックホールはビッグバンが起きた点にできた。
２．    宇宙の中心のブラックホールが作る電気の光子であるジェットにより何ができるか。
宇宙の中心のブラックホールが作る電気の光子であるジェットが放出する空間は、“ブラックホールの素子”の時代である。
2007年5月10日に提出した、特願2007-150959  「宇宙2」の「請求項9」に次のように記した。
(「請求項9」クエーサーはどのようにできるか。銀河はどのようにできるか。宇宙の銀河が泡のようになっているのはどうしてか。
10-16mの場は、ブラックホールの場です。いわば、ブラックホールに成る素子がたくさん存在する場です。10-16mの場に存在する自転する電子のラブと陽子のラブを“ブラックホールの素子”と名付ける。“ブラックホールの素子”は10-16mの場に存在する自転する電子のラブと陽子のラブです。これはこの場のダークマターです)
それで、宇宙の中心のブラックホールが作る電気の光子であるジェットは、“ブラックホールの素子”に当たり、これを活性化し、ブラックホールを作る。
ダークマターの活性化については2007年6月15日に提出した、特願2007-183718に記した。
３．    宇宙の中心のブラックホールのジェットが届く距離について。
2011年7月8日に提出した特願2011-151316  「素粒子と宇宙の引力と軌道エネルギーと速度の統一」の「請求項6」に於いて、ジェットが届く距離＝6.477×1011×10n/3Kmの式を得た。
今回、ブラックホールの質量を3段階に分けて考える。
1段階は、宇宙の中心の2.631×1013太陽質量のブラックホールです。この場合、ジェットが届く距離＝6.477×1011×10n/3Km×102とする。
2段階は、大きい質量のブラックホールで、1011太陽質量と1010太陽質量と109太陽質量の場合です。これは1段階の宇宙の中心の2.631×1013太陽質量ブラックホールが作るブラックホールでエネルギーが弱いので、ジェットが届く距離＝6.477×1011×10n/3Km×10とする。
3段階は、小さい質量のブラックホールで、107太陽質量と106太陽質量と105太陽質量の場合です。これは2段階の1011太陽質量と1010太陽質量と109太陽質量のブラックホールが作るブラックホールでエネルギーがもっと弱いので、ジェットが届く距離＝6.477×1011×10n/3Kmとする。
この事を基にジェットが届く距離を計算する。
宇宙の中心のブラックホールのジェットが届く距離＝6.477×1011×10n/3Km×102＝6.477×1011×(2.631×1013)1/3Km×102＝6.477×1011×26.311/3×104 Km×102＝6.477×1011×2.974×104 Km×102＝1.926×1018Km
宇宙の中央に、2.631×1013太陽質量のブラックホールができた時、ジェット噴射は、軌道半径1.926×1018Kmまで飛んだ。
この軌道半径は、1.926×1018Km÷(9.46×1012Km)＝2.036×105  光年です。
2.036×105光年の軌道に何ができたか。
この軌道にたくさんの質量の大きい質量のブラックホールができた。
この軌道に、1011太陽質量のブラックホールや1010太陽質量のブラックホールや109太陽質量のブラックホールができたとし、この場合について考える。
○1011太陽質量のブラックホールから噴出してジェットが届いた軌道半径は、6.477×1011×1011/3Km×10＝6.477×1015×102/3Km＝6.477×1015×100.666Km＝6.477×1015×4.641Km＝3.006×1016Km、です。
これは、3.006×1016Km÷(9.46×1012Km) ＝3.178×103光年です。
この軌道半径にたくさんの小さい質量のブラックホールができた。このブラックホールは銀河の中心に成るブラックホールです。このブラックホールの質量を107太陽質量とする。
・107太陽質量のブラックホールから噴出するジェットが届いた半径はいくらか。この時のジェットが届いた半径を6.477×1011×10ｎ/3Km、とする。ジェットのエネルギーが弱まったからです。
107太陽質量のブラックホールから噴出するジェットが届く距離＝6.477×1011×107/3Km＝6.477×1013×101/3Km＝6.477×1013×2.154Km＝1.395×1014Km
これは、1.395×1014Km÷(9.46×1012Km)＝1.475×10光年です。
○1010太陽質量のブラックホールから噴出してジェットが届いた軌道半径は、6.477×1011×1010/3Km×10＝6.477×1015×101/3Km＝6.477×1015×2.154Km＝1.395×1016Km、です。
これは、1.395×1016Km÷(9.46×1012Km)＝1.475×103 光年です。
この軌道半径にたくさんの小さい質量のブラックホールができた。このブラックホールは銀河の中心に成るブラックホールです。このブラックホールの質量を106太陽質量とする。
・106太陽質量のブラックホールから噴出するジェットが届いた半径はいくらか。
106太陽質量のブラックホールから噴出するジェットが届く距離＝6.477×1011×106/3Km＝6.477×1013Km
これは、6.477×1013Km÷(9.46×1012Km)＝6.847光年です。
○109太陽質量のブラックホールから噴出してジェットが届いた軌道半径は、6.477×1011×109/3Km×10 ＝6.477×1015Km、です。
これは、6.477×1015Km÷(9.46×1012Km)＝6.847×102光年です。
この軌道半径にたくさんの小さい質量のブラックホールができた。このブラックホールは銀河の中心に成るブラックホールです。このブラックホールの質量を105太陽質量とする。
・105太陽質量のブラックホールから噴出するジェットが届いた半径はいくらか。
105太陽質量のブラックホールから噴出するジェットが届く距離＝6.477×1011×105/3Km＝6.477×1012×102/3Km＝6.477×1012×100.666Km＝6.477×1012×4.641Km＝3.006×1013Km
これは、3.006×1013Km÷(9.46×1012Km)＝3.178光年です。
これらの事は“ブラックホールの素子”の時代におきた。
これらの事をまとめて示す。
“ブラックホールの素子”の時代におきた事
表１
2018078750.tif 000003
４．    宇宙の中心のブラックホールが作る軌道
宇宙の中心のブラックホールの質量は2.631×1013太陽質量なので、宇宙の軌道エネルギーの式は、2.524×1027JKm÷軌道半径、です。
それで、宇宙の中心のブラックホールが作る、軌道エネルギー＝2.524×1027JKm÷軌道半径、の軌道上を進む。
軌道エネルギー＝電気の光子の軌道エネルギー＝速度2＝2.524×1027JKm÷軌道半径、であり、軌道エネルギー＝磁気の光子の軌道エネルギー＝引力2＝2.524×1027JKm÷軌道半径、です。
大きい質量のブラックホールは全て、宇宙の中心のブラックホールが作る軌道上を回転しながら進む。
これに付随して、小さい質量のブラックホールによりできた泡状銀河団も、銀河達の中心の小さい質量のブラックホールを軸に回転しながら進む。
いわば、宇宙は大別すると6重回転に成っている。1つは宇宙の中心が作る回転。2つは大きい質量のブラックホールが作る回転。3つは小さいブラックホールが作る回転。4つは銀河の中のブラックホールが作る回転。5つは恒星の中心のブラックホールが作る回転。6つは惑星が作る回転です。
これらの回転はより質量の大きい中心軸の回転に付随しながら回転する。
その結果、宇宙の全ての回転は、宇宙の中心のブラックホールが作る軌道上を回転しながら進む。
５．    泡状の銀河集団はどのようにできたか。
現代観察される泡状の銀河集団は地球から70億光年です。
ビッグバンは地球から150億光年である。
・泡状の銀河集団はビッグバンから何光年離れているか。
150億光年-70億光年＝80億光年
泡状の銀河集団はビッグバンから軌道半径80億光年です。
・軌道半径80億光年は何時代か。
軌道半径80億光年は10-12m時代です。
・10-12m時代の空間は“ブラックホールの素子”の時代の何倍に成っているか。
10-12m÷10-16m＝104
10-12m時代は10-16m時代の、104倍です。
それで、泡状の銀河集団は“ブラックホールの素子”の時代から104倍の大きさに成った。
各々の時代の様子はどのようであるか。
○10-16m時代は“ブラックホールの素子”の時代で105光年。
宇宙の中心のブラックホールがジェットを放出し届く軌道半径は、2×105光年です。
○2×105光年は2×10-16m時代です。
2×105光年の宇宙の様子は次のようです。
宇宙の中心のブラックホールがジェットを放出し届く軌道半径は、2×105光年です。
この軌道半径に大きい質量のブラックホールができる。例えば、1011太陽質量のブラックホールや1010太陽質量のブラックホールや109太陽質量のブラックホールができる。
1011太陽質量のブラックホールが作った、軌道半径＝3.178×103光年です。
更に1011太陽質量のブラックホールがジェットを放出し、107太陽質量のブラックホールができる。107太陽質量のブラックホールが作った、軌道半径＝1.475×10光年です。
1010太陽質量のブラックホールが作った、軌道半径＝1.475×103光年です。
更に1010太陽質量のブラックホールがジェットを放出し、106太陽質量のブラックホールができる。106太陽質量のブラックホールが作った、軌道半径＝6.847光年です。
109太陽質量のブラックホールが作った、軌道半径＝6.847×102光年です。
更に109太陽質量のブラックホールがジェットを放出し、105太陽質量のブラックホールができる。105太陽質量のブラックホールが作った、軌道半径＝3.178光年です。
2×105光年は2×10-16m時代です。
10-15m時代は106光年。
2×10-16m時代にできた物の軌道半径は5倍に成りました。
10-14m時代は107光年。
2×10-16m時代にできた物の軌道半径は50倍に成りました。
10-13m時代は108光年。
2×10-16m時代にできた物の軌道半径は500倍に成りました。
10-12m時代は109光年。
2×10-16m時代にできた物の軌道半径は5×103倍に成りました。
2×10-12m時代は2×109光年。
2×10-16m時代にできた物の軌道半径は2×5×103倍＝104倍に成りました。
○2×10-12m時代は2×109光年です。その時の宇宙の様子はどのようであったか。
“ブラックホールの素子”の時代、宇宙の中心のブラックホールがジェットを放出し届いた軌道半径は、2×109光年です。この軌道半径に1011太陽質量のブラックホールや1010太陽質量のブラックホールや109太陽質量のブラックホールができています。
1011太陽質量のブラックホールが作った、軌道半径＝3.178×107光年です。
更に1011太陽質量のブラックホールがジェットを放出し、107太陽質量のブラックホールができた。その107太陽質量のブラックホールが作った、軌道半径＝1.475×105光年です。
1010太陽質量のブラックホールが作った、軌道半径＝1.475×107光年です。
更に1010太陽質量のブラックホールがジェットを放出し、106太陽質量のブラックホールができた。その106太陽質量のブラックホールが作った、軌道半径＝6.847×104光年です。
109太陽質量のブラックホールが作った、軌道半径＝6.847×106光年です。
更に109太陽質量のブラックホールがジェットを放出し、105太陽質量のブラックホールができた。その105太陽質量のブラックホールが作った、軌道半径＝3.178×104光年です。
現代観察される泡状の銀河集団は地球から70億光年です。
これは、ビッグバンから、150×108-70×108＝80×108、光年です。
○泡状の銀河集団はビッグバンから軌道半径80億光年です。その時の宇宙の状態は、どのようであるか。
軌道半径は2×109光年の何倍か。
8×109÷2×109光年＝4
軌道半径は4倍に成ります。
“ブラックホールの素子”の時代、宇宙の中心のブラックホールがジェットを放出し届いた軌道半径は、4×2×109光年＝8×109光年に成ります。この軌道半径に大きい質量のブラックホールができています。例えば、1011太陽質量のブラックホールや1010太陽質量のブラックホールや109太陽質量のブラックホールができています。
1011太陽質量のブラックホールが作った、軌道半径＝4×3.178×107光年＝1.271×108光年です。この軌道半径に泡状の銀河集団が存在します。
更に1011太陽質量のブラックホールがジェットを放出し、107太陽質量のブラックホールができた。その107太陽質量のブラックホールが作った、軌道半径＝4×1.475×105光年＝5.900×105光年です。これが銀河の半径です。
1010太陽質量のブラックホールが作った、軌道半径＝4×1.475×107光年＝5.900×107光年です。この軌道半径に泡状の銀河集団が存在します。
更に1010太陽質量のブラックホールがジェットを放出し、106太陽質量のブラックホールができた。その106太陽質量のブラックホールが作った、軌道半径＝4×6.847×104光年＝2.739×105光年です。これが銀河の半径です。
109太陽質量のブラックホールが作った、軌道半径＝4×6.847×106光年＝2.739×107光年です。この軌道半径に泡状の銀河集団が存在します。
更に109太陽質量のブラックホールがジェットを放出し、105太陽質量のブラックホールができた。その105太陽質量のブラックホールが作った、軌道半径＝4×3.178×104光年＝1.271×105光年です。これが銀河の半径です。
６．    現代、宇宙の様子はどのようであるか。ビッグバンから150億年後の宇宙の様子はどのようであるか。
現代は、150億年ですから、150億光年です。80億光年の150÷80＝1.875倍です。
それで、80億光年の1.875倍の状態になります。
○ビッグバンから150億年後の宇宙の様子はどのようであるか。
80億光年の1.875倍の状態を計算します。
“ブラックホールの素子”の時代、宇宙の中心のブラックホールがジェットを放出し届いた軌道半径は、1.875×8×109光年＝1.5×1010光年です。この軌道半径に1011太陽質量のブラックホールや1010太陽質量のブラックホールや109太陽質量のブラックホールができています。
1011太陽質量のブラックホールが作った、軌道半径＝1.875×1.271×108光年＝2.383×108光年です。この軌道半径に泡状の銀河集団が存在します。
更に1011太陽質量のブラックホールがジェットを放出し、107太陽質量のブラックホールができた。その107太陽質量のブラックホールが作った、軌道半径＝1.875×5.900×105光年＝1.106×106光年です。これが銀河の半径です。
1010太陽質量のブラックホールが作った、軌道半径＝1.875×5.900×107光年＝1.106×108光年です。この軌道半径に泡状の銀河集団が存在します。
更に1010太陽質量のブラックホールがジェットを放出し、106太陽質量のブラックホールができた。その106太陽質量のブラックホールが作った、軌道半径＝1.875×2.739×105光年＝5.136×105光年です。これが銀河の半径です。
109太陽質量のブラックホールが作った、軌道半径＝1.875×2.739×107光年＝5.136 ×107光年です。この軌道半径に泡状の銀河集団が存在します。
更に109太陽質量のブラックホールがジェットを放出し、105太陽質量のブラックホールができた。その105太陽質量のブラックホールが作った、軌道半径＝1.875×1.271×105光年＝2.383 ×105光年です。これが銀河の半径です。
この事をまとめて表に示す。
各々の時代の宇宙のブラックホールが作った軌道半径
表２
2018078750.tif 000004
７    宇宙はどのようにできたか。
○105光年の時代。“ブラックホールの素子”の時代。10-16m時代。
ビッグバンがおきた点に宇宙の中心のブラックホールができた。ブラックホールの質量は2.631×1013太陽質量です。このブラックホールが宇宙の中心の回転軸に成ります。
○2×105光年の時代。“ブラックホールの素子”の時代。2×10-16m時代。
宇宙の中心のブラックホールからジェットが噴出し、半径2×105光年の軌道に大きな質量のブラックホールを作りました。例えば、1011太陽質量のブラックホールや1010太陽質量のブラックホールや109太陽質量のブラックホールです。このブラックホールは後の時代に泡状銀河団の中心軸に成ります。
1011太陽質量のブラックホールからジェットが噴出し、半径3.178×104光年の軌道にたくさんの小さい質量のブラックホールを作った。例えば、107太陽質量のブラックホールを作った。このブラックホールは後の時代に銀河の中心軸に成ります。
この107太陽質量の質量のブラックホールがジェットを噴出し、半径1.475×10光年の軌道の中のダークマターを活性化し、たくさんの太陽質量の数倍のブラックホールを作った。この太陽質量の数倍のブラックホールが後の時代に第1世代の恒星に成った。
○2×109光年の時代はクエーサーの時代で、2×10-12m時代です。
太陽質量の数倍のブラックホールはクエーサーに成った。
107太陽質量のブラックホールがジェットを噴出し、作った半径1.475×10光年の軌道は半径1.475×105光年の軌道に成る。この中のたくさんの太陽質量の数倍のブラックホールはクエーサーに成ったので、全体としてはたくさんのクエーサーができた。
1011太陽質量のブラックホールがジェットを噴出し、作った半径3.178×103光年の軌道は半径3.178×107光年の軌道に成る。この軌道のたくさんの107〜105太陽質量のブラックホールはクエーサー団に成った。
宇宙の中心のブラックホールがジェットを噴出し、作った半径2×105光年の軌道は半径2×109光年の軌道に成る。この軌道のたくさんの1011〜109太陽質量のブラックホールはたくさんの泡状クエーサー団に成った。
○8×109光年の時代は銀河の時代で8×10-12m時代です。
たくさんのクエーサーはたくさんの恒星に成り、銀河に成った。
たくさんのクエーサー団はたくさんの銀河団に成った。
たくさんの泡状クエーサー団はたくさんの泡状銀河団に成った。
まとめて表に示す。
時代別に、起きた事柄と軌道半径。1011太陽質量のブラックホールと107太陽質量のブラックホールの場合。
表３
2018078750.tif 000005
2018078750.tif 000006
８．    軌道の速度と引力はどのようであるか。
宇宙の軌道エネルギーの式は、ブラックホールの質量を10n太陽質量とすると、軌道エネルギー＝5.438×1018＋2n/3JKm÷軌道半径、です。
宇宙の中心のブラックホールは2.631×1013太陽質量であるとし、軌道エネルギー＝4.827×1027JKm÷軌道半径、です。
軌道の速度＝軌道エネルギー1/2
軌道の引力＝軌道エネルギー1/2
2×10-16m時代。
宇宙の軌道半径は、2×105光年です。軌道半径は2×105×9.46×1012Km＝1.892×1018Km、です。
軌道エネルギーは、軌道エネルギー＝4.827×1027JKm÷軌道半径＝4.827×1027JKm÷(1.892×1018Km)＝2.551×109J
軌道の速度＝(2.551×109)1/2＝5.051×104Km
軌道の引力＝5.051×104J＝5.051×104Nm
1011太陽質量のブラックホールが作る軌道エネルギーは、軌道エネルギー＝5.438×1018＋2×11/3JKm÷軌道半径＝5.438×1018＋7.333 JKm÷軌道半径＝5.438×1025×2.154 JKm÷軌道半径＝1.171×1026JKm÷軌道半径、です。
1011太陽質量のブラックホールが作る軌道半径は、3.178×103光年です。
軌道半径＝3.178×103光年＝3.178×103×9.46×1012Km＝3.006×1016Km
軌道エネルギー＝1.171×1026JKm÷軌道半径＝1.171×1026JKm÷(3.006×1016Km)＝3.896×109J
軌道の速度＝(3.896×109J)1/2＝6.242×104Km
軌道の引力＝6.242×104J＝6.242×104Nm
107太陽質量のブラックホールが作る軌道エネルギーは、軌道エネルギー＝5.438×1018＋2×7/3JKm÷軌道半径＝5.438×1018＋4.666JKm÷軌道半径＝5.438×1022×4.641JKm÷軌道半径＝2.524×1023JKm÷軌道半径
107太陽質量のブラックホールが作る軌道半径は、1.475×10光年です。
軌道半径＝1.475×10光年＝1.475×10×9.46×1012Km＝1.395×1014Km
軌道エネルギー＝2.524×1023JKm÷軌道半径＝2.524×1023JKm÷(1.395×1014Km)＝1.809×109J
軌道の速度＝(1.809×109J)1/2＝4.253×104Km
軌道の引力＝4.253×104J＝4.253×104Nm
1010太陽質量のブラックホールが作る軌道エネルギーは、軌道エネルギー＝5.438×1018＋2×10/3JKm÷軌道半径＝5.438×1018＋6.666JKm÷軌道半径＝5.438×1024×4.641JKm÷軌道半径＝2.524×1025JKm÷軌道半径
1010太陽質量のブラックホールが作る軌道半径は、1.475×103光年です。
軌道半径＝1.475×103光年＝1.475×103×9.46×1012Km＝1.395×1016Km
軌道エネルギー＝2.524×1025JKm÷軌道半径＝2.524×1025JKm÷(1.395×1016Km)＝1.809×109J
軌道の速度＝(1.809×109J)1/2＝4.253×104Km
軌道の引力＝4.253×104J＝4.253×104Nm
106太陽質量のブラックホールが作る軌道エネルギーは、軌道エネルギー＝5.438×1018＋2×6/3JKm÷軌道半径＝5.438×1022JKm÷軌道半径
106太陽質量のブラックホールが作る軌道半径は、6.847光年です。
軌道半径＝6.847光年＝6.847×9.46×1012Km＝6.477×1013Km
軌道エネルギー＝5.438×1022JKm÷軌道半径＝5.438×1022JKm÷(6.477×1013Km)＝8.396×108J
軌道の速度＝(8.396×108J)1/2＝2.898×104Km
軌道の引力＝2.898×104J＝2.898×104Nm
109太陽質量のブラックホールが作る軌道エネルギーは、軌道エネルギー＝5.438×1018＋2×9/3JKm÷軌道半径＝5.438×1024JKm÷軌道半径
109太陽質量のブラックホールが作る軌道半径は、6.847×102光年です。
軌道半径＝6.847×102光年＝6.847×102×9.46×1012Km＝6.477×1015Km
軌道エネルギー＝5.438×1024JKm÷軌道半径＝5.438×1024JKm÷(6.477×1015Km)＝8.396×108J
軌道の速度＝(8.396×108J)1/2＝2.898×104Km
軌道の引力＝2.898×104J＝2.898×104Nm
105太陽質量のブラックホールが作る軌道エネルギーは、軌道エネルギー＝5.438×1018＋2×5/3JKm÷軌道半径＝5.438×1018＋10/3JKm÷軌道半径＝5.438×1021×2.154JKm÷軌道半径＝1.171 ×1022JKm÷軌道半径
105太陽質量のブラックホールが作る軌道半径は、3.178光年です。
軌道半径＝3.178光年＝3.178×9.46×1012Km＝3.006×1013Km
軌道エネルギー＝1.171 ×1022JKm÷軌道半径＝1.171 ×1022JKm÷(3.006×1013Km)＝3.896×108J
軌道の速度＝(3.896×108J)1/2＝1.974×104Km
軌道の引力＝1.974×104J＝1.974×104Nm
2×10-15mの時代。
宇宙の軌道半径は、2×106光年です。軌道半径は2×106×9.46×1012Km＝1.892×1019Km、です。
軌道エネルギーは、軌道エネルギー＝4.827×1027JKm÷軌道半径＝4.827×1027JKm÷(1.892×1019Km)＝2.551×108J
軌道の速度＝(2.551×108J)1/2＝1.597×104Km
軌道の引力＝1.597×104J＝1.597×104Nm
1011太陽質量のブラックホールが作る軌道半径は、3.178×104×9.46×1012Km＝3.006×1017Km、です。
軌道エネルギーは、軌道エネルギー＝1.171×1026JKm÷軌道半径＝1.171×1026JKm÷(3.006×1017Km)＝3.896×108J
軌道の速度＝(3.896×108J)1/2＝1.974×104Km
軌道の引力＝1.974×104J＝1.974×104Nm
107太陽質量のブラックホールが作る軌道半径は、1.475×102光年＝1.475×102×9.46×1012Km＝1.395×1015Km 、です。
軌道エネルギーは、軌道エネルギー＝2.524×1023JKm÷軌道半径＝2.524×1023JKm÷(1.395×1015Km)＝1.809×108J
軌道の速度＝(1.809×108J)1/2=1.345×104Km
軌道の引力＝1.345×104J＝1.345×104Nm
1010太陽質量のブラックホールが作る軌道半径は、1.475×104光年×9.46×1012Km＝1.395×1017Km、です。
軌道エネルギーは、軌道エネルギー＝2.524×1025JKm÷軌道半径＝2.524×1025JKm÷(1.395×1017Km)＝1.809×108J
軌道の速度＝(1.809×108J)1/2=1.342×104Km
軌道の引力＝1.342×104J=1.342×104Nm
106太陽質量のブラックホールが作る軌道半径は、6.847×10光年×9.46×1012Km＝6.477×1014Km
軌道エネルギーは、軌道エネルギー＝5.438×1022JKm÷軌道半径＝5.438×1022JKm÷(6.477×1014Km)＝8.396×107J
軌道の速度＝(8.396×107J)1/2=9.163 ×103Km
軌道の引力＝9.163 ×103J＝9.163 ×103Nm
109太陽質量のブラックホールが作る軌道半径は、6.847×103光年×9.46×1012Km＝6.477×1016Km
軌道エネルギーは、軌道エネルギー＝5.438×1024JKm÷軌道半径＝5.438×1024JKm÷(6.477×1016Km)＝8.396×107J
軌道の速度＝(8.396×107J)1/2=9.163×103Km
軌道の引力＝9.163×103J＝9.163×103Nm
105太陽質量のブラックホールが作る軌道半径は、3.178×10光年×9.46×1012Km＝3.006×1014Km
軌道エネルギーは、軌道エネルギー＝1.171 ×1022JKm÷軌道半径＝1.171 ×1022JKm÷(3.006×1014Km)＝3.896×107J
軌道の速度＝(3.896×107J)1/2=6.242×103Km
軌道の引力＝6.242×103J＝6.242×103Nm
2×10-14mの時代
宇宙の軌道半径は、2×107光年です。軌道半径は2×107×9.46×1012Km＝1.892×1020Km、です。
軌道エネルギーは、軌道エネルギー＝4.827×1027JKm÷軌道半径＝4.827×1027JKm÷(1.892×1020Km)＝2.551×107Km
軌道の速度＝(2.551×107J)1/2＝5.051×103Km
軌道の引力＝5.051×103J＝5.051×103Nm
1011太陽質量のブラックホールが作る軌道半径は、3.178×105光年＝3.178×105×9.46×1012Km＝3.006×1018Km、です。
軌道エネルギー＝1.171×1026JKm÷軌道半径＝1.171×1026JKm÷(3.006×1018Km)＝3.896×107J
軌道の速度＝(3.896×107J)1/2＝6.242×103Km
軌道の引力＝6.242×103J＝6.242×103Nm
107太陽質量のブラックホールが作る軌道半径は、1.475×103光年＝1.475×103×9.46×1012Km＝1.395×1016Km 、です。
軌道エネルギーは、軌道エネルギー＝2.524×1023JKm÷軌道半径＝2.524×1023JKm÷(1.395×1016Km)＝1.809×107J
軌道の速度＝(1.809×107J)1/2=4.253×103Km
軌道の引力＝1.345×104J＝4.253×103Nm
1010太陽質量のブラックホールが作る軌道半径は、1.475×105光年＝1.475×105×9.46×1012Km＝1.395×1018Km、です。
軌道エネルギーは、軌道エネルギー＝2.524×1025JKm÷軌道半径＝2.524×1025JKm÷(1.395×1018Km)＝1.809×107J
軌道の速度＝(1.809×107J)1/2=4.243×103Km
軌道の引力＝4.243×103J=4.243×103Nm
106太陽質量のブラックホールが作る軌道半径は、6.847×102光年＝6.847×102×9.46×1012Km＝6.477×1015Km
軌道エネルギーは、軌道エネルギー＝5.438×1022JKm÷軌道半径＝5.438×1022JKm÷(6.477×1015Km)＝8.396×106J
軌道の速度＝(8.396×106J)1/2=2.898×103Km
軌道の引力＝2.898×103J＝2.898×103Nm
109太陽質量のブラックホールが作る軌道半径は、6.847×104光年＝6.847×104×9.46×1012Km＝6.477×1017Km
軌道エネルギーは、軌道エネルギー＝5.438×1024JKm÷軌道半径＝5.438×1024JKm÷(6.477×1017Km)＝8.396×106J
軌道の速度＝(8.396×106J)1/2=2.898×103Km
軌道の引力＝2.898×103J＝2.898×103Nm
105太陽質量のブラックホールが作る軌道半径は、3.178×102光年＝3.178×102×9.46×1012Km＝3.006×1015Km
軌道エネルギーは、軌道エネルギー＝1.171 ×1022JKm÷軌道半径＝1.171 ×1022JKm÷(3.006×1015Km)＝3.896×106J
軌道の速度＝(3.896×106J)1/2=1.974×103Km
軌道の引力＝1.974×103J＝1.974×103Nm
80億光年時代
宇宙の軌道半径は、8×109光年です。軌道半径は、8×109光年＝8×109×9.46×1012Km＝7.568×1022Km、です。
軌道エネルギーは、軌道エネルギー＝4.827×1027JKm÷軌道半径＝4.827×1027JKm÷(7.568×1022Km)＝6.378×104J
軌道の速度＝(6.378×104J)1/2＝2.525×102Km
軌道の引力＝2.525×102J＝2.525×102Nm
1011太陽質量のブラックホールが作る軌道半径は、1.271×108光年＝1.271×108×9.46×1012Km＝1.202×1021Km、です。
軌道エネルギーは、軌道エネルギー＝1.171×1026JKm÷軌道半径＝1.171×1026JKm÷(1.202×1021Km)＝9.742×104J
軌道の速度＝(9.742×104J)1/2＝3.121×102Km
軌道の引力＝3.121×102J＝3.121×102Nm
107太陽質量のブラックホールが作る軌道半径は、5.900×105光年＝5.900×105×9.46×1012Km＝5.581×1018Km 、です。
軌道エネルギーは、軌道エネルギー＝2.524×1023JKm÷軌道半径＝2.524×1023JKm÷(5.581×1018Km)＝4.522×104J
軌道の速度＝(4.522×104J)1/2=2.126×102Km
軌道の引力＝2.126×102J＝2.126×102Nm
1010太陽質量のブラックホールが作る軌道半径は、5.900×107光年＝5.900×107×9.46×1012Km＝5.581×1020Km、です。
軌道エネルギーは、軌道エネルギー＝2.524×1025JKm÷軌道半径＝2.524×1025JKm÷(5.581×1020Km)＝4.522×104J
軌道の速度＝(4.522×104J)1/2＝2.126×102Km
軌道の引力＝2.126×102J＝2.126×102Nm
106太陽質量のブラックホールが作る軌道半径は、2.739×105光年＝2.739×105×9.46×1012Km＝2.591×1018Km
軌道エネルギーは、軌道エネルギー＝5.438×1022JKm÷軌道半径＝5.438×1022JKm÷(2.591×1018Km)＝2.099×104J
軌道の速度＝(2.099×104J)1/2=1.449×102Km
軌道の引力＝1.449×102J＝1.449×102Nm
109太陽質量のブラックホールが作る軌道半径は、2.739×107光年＝2.739×107×9.46×1012Km＝2.591×1020Km
軌道エネルギーは、軌道エネルギー＝5.438×1024JKm÷軌道半径＝5.438×1024JKm÷ (2.591×1020Km)＝2.099×104J
軌道の速度＝(2.099×104J)1/2=1.446×102Km
軌道の引力＝1.446×102J＝1.446×102Nm
105太陽質量のブラックホールが作る軌道半径は、1.271×105光年＝1.271×105×9.46×1012Km＝1.202×1018Km
軌道エネルギーは、軌道エネルギー＝1.171 ×1022JKm÷軌道半径＝1.171 ×1022JKm÷(1.202×1018Km)＝9.742×103J
軌道の速度＝(9.742×103J)1/2＝9.870×10Km
軌道の引力＝9.870×10J＝9.870×10Nm
150億光年時代
宇宙の軌道半径は、1.5×1010光年です。軌道半径は、1.5×1010光年＝1.5×1010×9.46×1012Km＝1.419×1023Km、です。
軌道エネルギーは、軌道エネルギー＝4.827×1027JKm÷軌道半径＝4.827×1027JKm÷ (1.419×1023Km)＝3.402×104J
軌道の速度＝(3.402×104J)1/2＝1.844×102Km
軌道の引力＝1.844×102J＝1.844×102Nm
1011太陽質量のブラックホールが作る軌道半径は、2.383×108光年＝2.383×108×9.46×1012Km＝2.254×1021Km、です。
軌道エネルギーは、軌道エネルギー＝1.171×1026JKm÷軌道半径＝1.171×1026JKm÷(2.254×1021Km)＝5.195×104J
軌道の速度＝(5.195×104J)1/2＝2.279×102Km
軌道の引力＝2.279×102J＝2.279×102Nm
107太陽質量のブラックホールが作る軌道半径は、1.106×106光年＝1.106×106×9.46×1012Km＝1.046×1019Km 、です。
軌道エネルギーは、軌道エネルギー＝2.524×1023JKm÷軌道半径＝2.524×1023JKm÷(1.046×1019Km)＝2.413×104J
軌道の速度＝(2.413×104J)1/2=1.553×102Km
軌道の引力＝1.553×102J＝1.553×102Nm
1010太陽質量のブラックホールが作る軌道半径は、1.106×108光年＝1.106×108×9.46×1012Km＝1.046×1021Km、です。
軌道エネルギーは、軌道エネルギー＝2.524×1025JKm÷軌道半径＝2.524×1025JKm÷(1.046×1021Km)＝2.413×104J
軌道の速度＝(2.413×104J)1/2＝4.912×102Km
軌道の引力＝4.912×102J＝4.912×102Nm
106太陽質量のブラックホールが作る軌道半径は、5.136×105光年＝5.136×105×9.46×1012Km＝4.859×1018Km
軌道エネルギーは、軌道エネルギー＝5.438×1022JKm÷軌道半径＝5.438×1022JKm÷(4.859×1018Km)＝1.119×104J
軌道の速度＝(1.119×104J)1/2=1.058×102Km
軌道の引力＝1.058×102J＝1.058×102Nm
109太陽質量のブラックホールが作る軌道半径は、5.136 ×107光年＝5.136 ×107×9.46×1012Km＝4.859×1020Km
軌道エネルギーは、軌道エネルギー＝5.438×1024JKm÷軌道半径＝5.438×1024JKm÷ (4.859×1020Km)＝1.119×104J
軌道の速度＝(1.119×104J)1/2=1.058×102Km
軌道の引力＝1.058×102J＝1.058×102Nm
105太陽質量のブラックホールが作る軌道半径は、2.383 ×105光年＝2.383 ×105光年×9.46×1012Km＝2.254×1018Km
軌道エネルギーは、軌道エネルギー＝1.171 ×1022JKm÷軌道半径＝1.171 ×1022JKm÷(2.254×1018Km)＝5.195×103J
軌道の速度＝(5.195×103J)1/2＝7.208×10Km
軌道の引力＝7.208×10J＝7.208×10Nm
まとめて表に示す。
各々の時代のブラックホールが作った軌道半径の速度と引力
表４
2018078750.tif 000007
2018078750.tif 000008
９．    引力2と加速度
物には引力2があり、それは速度2である。
それで、引力２と速度2は切り離せない。
引力2は速度2である。引力2は加速度である。
下に引力2が働き下に加速度となる。
横に引力2が働き横に加速度となる。
上に引力2が働き上に加速度となる。
宇宙に於いてこれが顕著にあらわれる。
物はそれ自体引力2と速度2を持っている。
引力2と速度2はエネルギーです。
物はそれ自体自分の引力2と速度2を持っている。
物はそれ自体自分の引力2と速度2のエネルギーを持っている。
宇宙に於いて引力2と速度2は軌道エネルギーである。
宇宙に於いて物は自分の軌道エネルギーを持っている。
それ故、宇宙の物は自分の引力2と速度2のエネルギーの場である自分の軌道エネルギーの場に存在する。
１０．    軌道エネルギーとその軌道に存在する物。
物は自分のエネルギーと同じエネルギーの場に存在する。
宇宙では、物は自分の軌道エネルギーと同じ軌道エネルギーの場に存在する。
宇宙では、物は引力2と速度2であるので、ある方向に向かって走る。その速さは一定です。その速さは軌道エネルギー1/2です。
月は地球が作る軌道エネルギーの軌道を公転する。
太陽系では、太陽が作る軌道を、惑星たちは自分の軌道エネルギーと同じ軌道を公転する。
銀河系では、中央のブラックホールが作る軌道を、小さなエネルギーのブラックホール達は自分の軌道エネルギーと同じ軌道を公転する。
銀河系では、近くのブラックホールが作る軌道を、星たちは自分の軌道エネルギーと同じ軌道を公転する。
小さなエネルギーの物は、近くのそれより大きいエネルギーの物が作る軌道エネルギーの軌道を公転する。自分の軌道エネルギーと同じ軌道を公転する。
この事は引力2と速度2に関係する。
軌道エネルギーとは速度2であり、引力2です。
小さなエネルギーの物とは、小さい速度2の物であり、小さい引力2の物です。
それで、小さなエネルギーの物は、大きいエネルギーの物が作る軌道エネルギー即ち、大きい物が作る速度2と引力2の軌道に存在する。
自分のエネルギーと同じ速度2と引力2の軌道に存在する。自分の軌道エネルギーと同じ軌道を公転する。
１１．    宇宙の形はどのようであるか。
銀河系の全ての物は間接的に銀河系の中心のブラックホールが作る軌道を回転する。
銀河系は泡状の銀河団の中の1つの銀河です。
泡状の銀河団は中心の大きな質量(例えば、109太陽質量や1010太陽質量)のブラックホールが作る軌道を回転する。
109太陽質量や1010太陽質量等の大きな質量のブラックホールは宇宙の中心のブラックホールが作った軌道を回転する。
それで、宇宙の全ての物は間接的に、宇宙の中心のブラックホールが作る軌道を回転する。
銀河系が中心のブラックホールを中心に回転しているように、宇宙の全ての物は宇宙の中心のブラックホールを中心に回転している。
銀河系が中心のブラックホールを中心に目玉焼きのような形で回転しているように、宇宙の全ての物は宇宙の中心のブラックホールを中心に目玉焼きのような形で回転している。
泡状の銀河団はドーナツ型の軌道の空間を自転しながら公転し、更に大きな質量のブラックホールの周りを回転している。そして、大きな質量のブラックホールは宇宙の中心のブラックホールが作る軌道を泡状の銀河団と共に回転する。
１２．    もし、宇宙の中心のブラックホールが移動しているとするなら、その事は何を意味するのか。
2012年6月13日に提出した、特願2012-133515  「宇宙の軌道エネルギーと泡状銀河集団の回転」に於いて、泡状銀河集団の回転状態を示した。宇宙の中心のブラックホールが移動する状態として、宇宙の形を理解した。もし、宇宙の中心のブラックホールが移動しているとするなら、その事は、宇宙の中心のブラックホールを移動させる力が存在する事を意味する。宇宙の中心のブラックホールの質量よりもっと質量の大きいブラックホールが存在する事を意味する。宇宙の中心のブラックホールの質量よりもっと質量の大きいブラックホールが軌道を作り、その軌道上を宇宙の中心のブラックホールが回転している事を意味する。この場合、ビッグバンはもう1つの、宇宙の中心のブラックホールの質量よりもっと質量の大きいブラックホールを作った事に成る。ビッグバンはこの宇宙の別の宇宙でおき、この宇宙ではおきなかった事に成る。
１３．    背景放射の構図は、はたして宇宙の初期の構図を示すものであるか。
背景放射は、現在、宇宙のあらゆる方向から来る背景放射の温度を調べたものであり、現代の宇宙の形を示している。
2015年12月15日に提出した、特願2016-203148  「時間と空間と軌道エネルギーと密度と引力」の「請求項12」で次のように記した。なお、電磁気の解体は電磁気の変化です。
｛「請求項12」ビッグバンから電磁気の解体はどのように進んだか。背景放射から考える。その2。背景放射の波長の長さの拡大は、空間の拡大による。
特願2015-244677、「マイナスの宇宙３」の「請求項１９」に次のように記した。
(ビッグバンから電磁気の解体はどのように進んだか。背景放射から考える。
背景放射の波長は、2×10−3mで、温度は、2.73Kです。
背景放射の軌道は2×10−3m÷2＝10−3m、です。
背景放射のエネルギーは、2.73×1.38065×10−23J=3.769×10−23J、です。
ビッグバンで放出した電磁気は外部の環境にあわせたエネルギー体に変化した。
その温度は、2.73Kです。そのエネルギーは3.769×10−23Jです。軌道は3.269×10−19mです。これがインフレ―ションです。
ビッグバンで放出した、電子のラブに成るはずの電磁気1個のエネルギーは1.256×10-9Jで、軌道は9.817×10−33mです。
ビッグバンで放出した、陽子のラブに成るはずの電磁気1個のエネルギーは2.306×10−6Jで、軌道は5.347×10−36mです。
この電磁気は外部の環境にあわせたエネルギー体に変化しその温度は、2.73Kに成った。そのエネルギーは3.769×10−23Jに成った。軌道は3.269×10−19mに成った。
電子のラブに成るはずの電磁気1個のエネルギーは、1.256×10-9J÷(3.769×10−23J)＝3.332×1013分の1に成り、軌道は、3.332×1013倍に成り、9.817×10−33m×3.332×1013＝3.269×10−19m、に成った。
陽子のラブに成るはずの電磁気1個のエネルギーは、2.306×10−6J÷(3.769×10−23J)＝6.118×1016分の1に成り、軌道は、6.118×1016倍に成り、5.347×10−36m×6.118×1016＝3.271×10−19m、に成った。
更に軌道は10−3mに成り、10−3m÷(3.269×10−19m)＝3.059×1015倍に成った。
ビッグバンで放出した、電子のラブに成るはずの電磁気1個はどのように変化したか。
表５
2018078750.tif 000009
)
今回は、更に軌道は10−3mに成り、10−3m÷(3.269×10−19m)＝3.059×1015倍に成った事について考察する。
１．背景放射の波長の長さの拡大は、空間の拡大による。
空間が大きく成り、電磁気の波長の長さが長くなったためです。
ビッグバンの時10-24mの公転軌道であった電子のラブの公転軌道は地表で、1.058×10-10mに成った。公転軌道は、1.058×10-10m÷10-24m＝1.058×1014倍に成った。
空間は、1.058×1014倍に成った。
それで、インフレーションで、3.269×10-19mの電磁気の軌道は、1.058×1014倍に成り、3.269×10-19m×1.058×1014＝3.459×10-4mに成った。
この波長は、軌道の2倍ですから、2×3.459×10-4m＝6.918×10-4m、です。
更に波長は、ほぼ直線になり、3.14倍の長さに成っているので、6.918×10-4m×3.14＝2.172×10-3mに成った。
背景放射の波長が2×10-3mであるのは、空間が広がったためです。長さが長く成ったためです。｝
特願2016-203148の、(それで、インフレーションで、3.269×10-19mの電磁気の軌道は、1.058×1014倍に成り、3.269×10-19m×1.058×1014＝3.459×10-4mに成った)の部分は誤りです。それで、空間の拡大で、3.269×10-19mの電磁気の軌道は、1.058×1014倍に成り、3.269×10-19m×1.058×1014＝3.459×10-4mに成った。と訂正する。
これは、背景放射は現代の物である事の証拠です。
このことをまとめて表に示す。
背景放射はインフレーションと空間の拡大によりできた。背景放射ができる過程その１
表６
2018078750.tif 000010
この背景放射は現代地球に届いているものであり、現代の宇宙からやってくる光子です。
それで、背景放射の図は現代の背景放射の図です。
１４．    背景放射の拡大は走った距離分のエネルギーの減少による。背景放射ができる過程その2
ビッグバンで放出した電磁気のエネルギーは走った距離分だけ減少する。
それで、電磁気のエネルギーは、走った距離×見かけ上の数＝走った距離×105Km＝150×108×9.46×1012Km×105=1.419×1028、分の1に成ります。
ビッグバンで放出した電磁気のエネルギーは1.256×10-9Jですから、1.256×10-9J÷(1.419×1028)＝8851×10-38J、です。
この軌道は、1.233×10-41Jm÷(8851×10-38J)=1.393×10-4m、です。
これは軌道ですから、波長にすると、2×1.393×10-4m＝2.786×10-4m、です。
さらに波長は伸びて、線に成りますから、3.14×2.786×10-4m＝8.748×10-4m、です。
ビッグバンで放出した電磁気のエネルギーは走った距離分だけ減少し、軌道は2.786×10-4mに成り、軌道は波長に成り更に線に成りますから、8.748×10-4mに成ります。
このように、ビッグバンで放出した電磁気は背景放射に成りました。
これは、背景放射は現代の物である事の証拠です。
この事を表に示す。
背景放射の拡大は走った距離分のエネルギーの減少によりできた。背景放射ができる過程その2
表７
2018078750.tif 000011
この背景放射は現代地球に届いているものであり、現代の宇宙からやってくる光子です。
それで、背景放射の図は現代の背景放射の図です。
【産業上の利用可能性】
【０００９】
素粒子を知ることは産業の発展に役立つ。
【符号の説明】
【００１０】
１    宇宙の中心のブラックホール
２    半径2×105光年の軌道  
３    大きな質量のブラックホール    
４    1011太陽質量のブラックホール  
５    1010太陽質量のブラックホール  
６    109太陽質量のブラックホール  
７    半径3.178×104光年の軌道  
８    107太陽質量のブラックホール  
９    半径1.475×10光年の軌道  
１０    太陽質量の数倍のブラックホール  
１１    クエーサー  
１２    泡状クエーサー団  
１３    銀河  
１４    泡状銀河団
１５    2×10-16m時代の軌道＝2×105光年時代の軌道
１６    2×10-15m時代の軌道＝2×106光年時代の軌道
１７    2×10-14m時代の軌道＝2×107光年時代の軌道
１８    2×10-13m時代の軌道＝2×108光年時代の軌道
１９    2×10-12m時代の軌道＝2×109光年時代の軌道
２０    8×109光年時代の軌道
２１    1.5×1010光年時代の軌道
【図１】
2018078750.tif 000021
【図２】
2018078750.tif 000022
【図３】
2018078750.tif 000023